(57)【要約】  本出願の実施例は、データ伝送制御方法、ネットワーク機器および記憶媒体を開示し、データ伝送制御方法は、第１コアネットワーク機器が、第１遅延情報を第１アクセスネットワーク機器に送信すること（Ｓ１１）を含み、第１遅延情報は、第１パスでのデータ伝送の遅延を示し、第１パスは、第２コアネットワーク機器と第１アクセスネットワーク機器との間のユーザプレーンデータパスである。
2022502929.tif 000002
【特許請求の範囲】
【請求項１】
データ伝送制御方法であって、
第１コアネットワーク機器が、第１遅延情報を第１アクセスネットワーク機器に送信することを含み、前記第１遅延情報は、第１パスでのデータ伝送の遅延を示し、前記第１パスは、第２コアネットワーク機器と前記第１アクセスネットワーク機器との間のユーザプレーンデータパスである、前記データ伝送制御方法。
【請求項２】
前記第１遅延情報は、前記第１パスでのデータ伝送の第１アップリンク遅延情報および／または第１ダウンリンク遅延情報を含む、
請求項１に記載のデータ伝送制御方法。
【請求項３】
前記第１コアネットワーク機器が、第１遅延情報を第１アクセスネットワーク機器に送信することは、
前記第１アップリンク遅延情報と前記第１ダウンリンク遅延情報が同じである場合、前記第１コアネットワーク機器が、１つの遅延情報を第１アクセスネットワーク機器に送信することを含み、前記１つの遅延情報は、前記第１パスでのデータ伝送のアップリンク伝送遅延およびダウンリンク伝送遅延を示す、
請求項２に記載のデータ伝送制御方法。
【請求項４】
前記第１コアネットワーク機器が、第１遅延情報を第１アクセスネットワーク機器に送信する前に、前記データ伝送制御方法は、
前記第１コアネットワーク機器が、前記第１遅延情報を決定することをさらに含み、前記第１遅延情報は、
前記第２コアネットワーク機器の位置情報、前記第１アクセスネットワーク機器の位置情報、前記第１パスのネットワーク状態、前記第１パスで伝送されるデータがアップリンクデータであるかダウンリンクデータであるか、前記第１パスで伝送されるデータに対応するネットワークスライス識別子および／またはデータネットワーク名（ＤＮＮ）、前記第１パスに中間第２コアネットワーク機器があるか否か、および署名ポリシのうちの少なくとも１つの情報に従って決定される、
請求項１ないし３のいずれか一項に記載のデータ伝送制御方法。
【請求項５】
前記第２コアネットワーク機器の位置情報は、前記第２コアネットワーク機器の識別子および／またはデータネットワークアクセス識別子（ＤＮＡＩ）に基づいて決定され、前記第１アクセスネットワーク機器の位置情報は、前記第１アクセスネットワーク機器の識別子および／または前記第１アクセスネットワーク機器が属するトラッキングエリア識別子または登録エリア識別子に基づいて決定される、
請求項４に記載のデータ伝送制御方法。
【請求項６】
前記第１コアネットワーク機器が、第１遅延情報を第１アクセスネットワーク機器に送信することは、
前記第１コアネットワーク機器が、プロトコルデータユニット（ＰＤＵ）セッション確立プロセスにおける第１メッセージによって、第１遅延情報を第１アクセスネットワーク機器に送信すること、
前記第１コアネットワーク機器が、ＰＤＵセッション変更プロセスにおける第２メッセージによって、第１遅延情報を第１アクセスネットワークに送信すること、
前記第１コアネットワークが、端末機器のネットワーク登録プロセスにおける第３メッセージによって、第１遅延情報を第１アクセスネットワークに送信すること、
前記第１コアネットワークが、端末機器がアクセスするアクセスネットワーク機器のハンドオーバプロセスにおける第４メッセージによって、第１遅延情報を第１アクセスネットワークに送信することのうちの少なくとも１つを含む、
請求項１ないし５のいずれか一項に記載のデータ伝送制御方法。
【請求項７】
前記第１コアネットワーク機器が、第１遅延情報を第１アクセスネットワーク機器に送信することは、
前記第１コアネットワーク機器が、第３コアネットワーク機器によって第１遅延情報を第１アクセスネットワーク機器に送信することを含む、
請求項１ないし６のいずれか一項に記載のデータ伝送制御方法。
【請求項８】
前記データ伝送制御方法は、
前記第１コアネットワーク機器が、前記第１遅延情報に従って第２コアネットワーク機器を選択することをさらに含む、
請求項１に記載のデータ伝送制御方法。
【請求項９】
前記第１コアネットワーク機器が、前記第１遅延情報に従って第２コアネットワーク機器を選択することは、
前記第１コアネットワーク機器が、前記第１遅延情報に従って、選択される第２コアネットワーク機器の位置情報を決定し、前記選択される第２コアネットワーク機器の位置情報に従って第２コアネットワーク機器を選択することを含む、
請求項８に記載のデータ伝送制御方法。
【請求項１０】
前記選択される第２コアネットワークの位置情報は、ＤＮＡＩおよび／または第２コアネットワーク機器の識別子に基づいて決定される、
請求項９に記載のデータ伝送制御方法。
【請求項１１】
前記第１遅延情報は、遅延情報および第２遅延情報に基づいて決定され、前記第２遅延情報は、前記第１アクセスネットワーク機器と前記端末機器との間でのデータ伝送の遅延を示し、前記遅延情報は、前記第２コアネットワーク機器と端末機器との間でのデータ伝送の遅延を示す、
請求項１ないし１０のいずれか一項に記載のデータ伝送制御方法。
【請求項１２】
前記遅延情報は、前記第２コアネットワーク機器と端末機器との間でのデータ伝送のアップリンク遅延情報および／またはダウンリンク遅延情報を含み、および／または、
前記第２遅延情報は、前記第１アクセスネットワーク機器と前記端末機器との間でのデータ伝送の第２アップリンク遅延情報および／または第２ダウンリンク遅延情報を含む、
請求項１１に記載のデータ伝送制御方法。
【請求項１３】
前記第２遅延情報は、前記第１コアネットワーク機器によって前記第１アクセスネットワーク機器から取得される、
請求項１１または１２に記載のデータ伝送制御方法。
【請求項１４】
データ伝送制御方法であって、
第１アクセスネットワーク機器が、第１コアネットワーク機器からの第１遅延情報を受信することであって、前記第１遅延情報は、第１パスでのデータ伝送の遅延を示し、前記第１パスは、第２コアネットワーク機器と前記第１アクセスネットワーク機器との間のユーザプレーンデータパスであることと、
前記第１アクセスネットワーク機器が、前記第１パスでのデータフローに対応する遅延情報および前記第１遅延情報に従って第２遅延情報を決定することであって、前記遅延情報は、前記第２コアネットワーク機器と端末機器との間でのデータ伝送の遅延を示し、前記第２遅延情報は、前記第１アクセスネットワーク機器と前記端末機器との間でのデータ伝送の遅延を示すことと、を含む、前記データ伝送制御方法。
【請求項１５】
前記第１遅延情報は、前記第１パスでのデータ伝送の第１アップリンク遅延情報および／または第１ダウンリンク遅延情報を含む、
請求項１４に記載のデータ伝送制御方法。
【請求項１６】
前記第１アクセスネットワーク機器が第１コアネットワーク機器からの第１遅延情報を受信することは、
前記第１アップリンク遅延情報と前記第１ダウンリンク遅延情報が同じである場合、前記第１アクセスネットワーク機器が、第１コアネットワーク機器からの１つの遅延情報を受信することを含み、前記１つの遅延情報は、前記第１パスでのデータ伝送のアップリンク伝送遅延およびダウンリンク伝送遅延を示す、
請求項１５に記載のデータ伝送制御方法。
【請求項１７】
前記遅延情報は、前記第２コアネットワーク機器と端末機器との間でのデータ伝送のアップリンク遅延情報および／またはダウンリンク遅延情報を含み、および／または、
前記第２遅延情報は、前記第１アクセスネットワーク機器と前記端末機器との間でのデータ伝送の第２アップリンク遅延情報および／または第２ダウンリンク遅延情報を含む、
請求項１４に記載のデータ伝送制御方法。
【請求項１８】
前記データ伝送制御方法は、
前記第１アクセスネットワーク機器が、前記第２遅延情報を前記端末機器に送信すること、または、
前記第１アクセスネットワーク機器が、前記第２アップリンク遅延情報を前記端末機器に送信することをさらに含む、
請求項１７に記載のデータ伝送制御方法。
【請求項１９】
前記データ伝送制御方法は、
前記第１アクセスネットワーク機器が、前記第２遅延情報に従ってスケジューリングポリシを決定し、前記スケジューリングポリシを前記端末機器に送信することをさらに含む、
請求項１４ないし１８のいずれか一項に記載のデータ伝送制御方法。
【請求項２０】
前記スケジューリングポリシは、前記端末機器が特定の時点および／または時間間隔でアップリンクデータおよび／またはダウンリンクデータを伝送するようにするために使用され、前記時点は、特定の無線フレームのサブフレームシンボルに基づいて定義されることができる、
請求項１９に記載のデータ伝送制御方法。
【請求項２１】
前記第１遅延情報は、前記遅延情報および前記第２遅延情報に基づいて決定される、
請求項１４ないし１８のいずれか一項に記載のデータ伝送制御方法。
【請求項２２】
前記データ伝送制御方法は、
前記第１アクセスネットワーク機器が、前記第２遅延情報を前記第１コアネットワーク機器に送信することをさらに含む、
請求項２１に記載のデータ伝送制御方法。
【請求項２３】
第１コアネットワーク機器として使用される、コアネットワーク機器であって、前記コアネットワーク機器は、第１遅延情報を第１アクセスネットワーク機器に送信するように構成される第１通信ユニットを備え、前記第１遅延情報は、第１パスでのデータ伝送の遅延を示し、前記第１パスは、第２コアネットワーク機器と前記第１アクセスネットワーク機器との間のユーザプレーンデータパスである、前記コアネットワーク機器。
【請求項２４】
前記第１遅延情報は、前記第１パスでのデータ伝送の第１アップリンク遅延情報および／または第１ダウンリンク遅延情報を含む、
請求項２３に記載のコアネットワーク機器。
【請求項２５】
前記第１通信ユニットは、前記第１アップリンク遅延情報と前記第１ダウンリンク遅延情報が同じである場合、１つの遅延情報を第１アクセスネットワーク機器に送信するように構成され、前記１つの遅延情報は、前記第１パスでのデータ伝送のアップリンク伝送遅延およびダウンリンク伝送遅延を示す、
請求項２４に記載のコアネットワーク機器。
【請求項２６】
前記コアネットワーク機器はさらに、第１処理ユニットを備え、前記第１処理ユニットは、前記第１通信ユニットが第１遅延情報を第１アクセスネットワーク機器に送信する前に、前記第１遅延情報を決定するように構成され、前記第１遅延情報は、
前記第２コアネットワーク機器の位置情報、前記第１アクセスネットワーク機器の位置情報、前記第１パスのネットワーク状態、前記第１パスで伝送されるデータがアップリンクデータであるかダウンリンクデータであるか、前記第１パスで伝送されるデータに対応するサービスの特徴、前記第１パスに中間第２コアネットワーク機器があるか否か、および署名ポリシのうちの少なくとも１つの情報に従って決定される、
請求項２３ないし２５のいずれか一項に記載のコアネットワーク機器。
【請求項２７】
前記第２コアネットワーク機器の位置情報は、前記第２コアネットワーク機器の識別子および／またはＤＮＡＩに基づいて決定され、前記第１アクセスネットワーク機器の位置情報は、前記第１アクセスネットワーク機器の識別子および／または前記第１アクセスネットワーク機器が属するトラッキングエリア識別子または登録エリア識別子に基づいて決定される、
請求項２６に記載のコアネットワーク機器。
【請求項２８】
前記第１通信ユニットは、ＰＤＵセッション確立プロセスにおける第１メッセージによって第１遅延情報を第１アクセスネットワーク機器に送信すること、ＰＤＵセッション変更プロセスにおける第２メッセージによって第１遅延情報を第１アクセスネットワークに送信すること、端末機器のネットワーク登録プロセスにおける第３メッセージによって第１遅延情報を第１アクセスネットワークに送信すること、端末機器がアクセスするアクセスネットワーク機器のハンドオーバプロセスにおける第４メッセージによって第１遅延情報を第１アクセスネットワークに送信することのうちの少なくとも１つの方式で第１遅延情報を第１アクセスネットワーク機器に送信するように構成される、
請求項２３ないし２７のいずれか一項に記載のコアネットワーク機器。
【請求項２９】
前記第１通信ユニットは、第３コアネットワーク機器によって第１遅延情報を第１アクセスネットワーク機器に送信するように構成される、
請求項２３ないし２８のいずれか一項に記載のコアネットワーク機器。
【請求項３０】
前記第１処理ユニットは、さらに、前記第１遅延情報に従って第２コアネットワーク機器を選択するように構成される、
請求項２３に記載のコアネットワーク機器。
【請求項３１】
前記第１処理ユニットは、前記第１遅延情報に従って、選択される第２コアネットワーク機器の位置情報を決定し、前記選択される第２コアネットワーク機器の位置情報に従って第２コアネットワーク機器を選択するように構成される、
請求項３０に記載のコアネットワーク機器。
【請求項３２】
前記選択される第２コアネットワークの位置情報は、ＤＮＡＩおよび／または第２コアネットワーク機器の識別子に基づいて決定される、
請求項３１に記載のコアネットワーク機器。
【請求項３３】
前記第１遅延情報は、遅延情報および第２遅延情報に基づいて決定され、前記第２遅延情報は、前記第１アクセスネットワーク機器と前記端末機器との間でのデータ伝送の遅延を示し、前記遅延情報は、前記第２コアネットワーク機器と端末機器との間でのデータ伝送の遅延を示す、
請求項２３ないし３２のいずれか一項に記載のコアネットワーク機器。
【請求項３４】
前記遅延情報は、前記第２コアネットワーク機器と端末機器との間でのデータ伝送のアップリンク遅延情報および／またはダウンリンク遅延情報を含み、および／または、
前記第２遅延情報は、前記第１アクセスネットワーク機器と前記端末機器との間でのデータ伝送の第２アップリンク遅延情報および／または第２ダウンリンク遅延情報を含む、
請求項３３に記載のコアネットワーク機器。
【請求項３５】
前記第１通信ユニットは、さらに、前記第１アクセスネットワーク機器からの前記第２遅延情報を取得するように構成される、
請求項３３または３４に記載のコアネットワーク機器。
【請求項３６】
アクセスネットワーク機器であって、第２通信ユニットと、第２処理ユニットと、を備え、
前記第２通信ユニットは、第１コアネットワーク機器からの第１遅延情報を受信するように構成され、前記第１遅延情報は、第１パスでのデータ伝送の遅延を示し、前記第１パスは、第２コアネットワーク機器と前記第１アクセスネットワーク機器との間のユーザプレーンデータパスであり、
前記第２処理ユニットは、前記第１パスでのデータフローに対応する遅延情報および前記第２通信ユニットによって受信された前記第１遅延情報に従って、第２遅延情報を決定するように構成され、前記遅延情報は、前記第２コアネットワーク機器と端末機器との間でのデータ伝送の遅延を示し、前記第２遅延情報は、前記第１アクセスネットワーク機器と前記端末機器との間でのデータ伝送の遅延を示す、前記アクセスネットワーク機器。
【請求項３７】
前記第１遅延情報は、前記第１パスでのデータ伝送の第１アップリンク遅延情報および／または第１ダウンリンク遅延情報を含む、
請求項３６に記載のアクセスネットワーク機器。
【請求項３８】
前記第２通信ユニットは、前記第１アップリンク遅延情報と前記第１ダウンリンク遅延情報が同じである場合、第１コアネットワーク機器からの１つの遅延情報を受信するように構成され、前記１つの遅延情報は、前記第１パスでのデータ伝送のアップリンク伝送遅延およびダウンリンク伝送遅延を示す、
請求項３７に記載のアクセスネットワーク機器。
【請求項３９】
前記遅延情報は、前記第２コアネットワーク機器と端末機器との間でのデータ伝送のアップリンク遅延情報および／またはダウンリンク遅延情報を含み、および／または、
前記第２遅延情報は、前記第１アクセスネットワーク機器と前記端末機器との間でのデータ伝送の第２アップリンク遅延情報および／または第２ダウンリンク遅延情報を含む、
請求項３６に記載のアクセスネットワーク機器。
【請求項４０】
前記第２通信ユニットは、さらに、前記第２遅延情報を前記端末機器に送信し、または、前記第２アップリンク遅延情報を前記端末機器に送信するように構成される、
請求項３９に記載のアクセスネットワーク機器。
【請求項４１】
前記第２処理ユニットは、さらに、前記第２遅延情報に従ってスケジューリングポリシを決定するように構成され、
前記第２通信ユニットは、さらに、前記第２処理ユニットによって決定された前記スケジューリングポリシを前記端末機器に送信するように構成される、
請求項３６ないし４０のいずれか一項に記載のアクセスネットワーク機器。
【請求項４２】
前記スケジューリングポリシは、前記端末機器が特定の時点および／または時間間隔でアップリンクデータおよび／またはダウンリンクデータを伝送するようにするために使用され、前記時点は、特定の無線フレームのサブフレームシンボルに基づいて定義されることができる、
請求項４１に記載のアクセスネットワーク機器。
【請求項４３】
前記第１遅延情報は、前記遅延情報および前記第２遅延情報に基づいて決定される、
請求項３６ないし４０のいずれか一項に記載のアクセスネットワーク機器。
【請求項４４】
前記第２通信ユニットは、さらに、前記第２遅延情報を前記第１コアネットワーク機器に送信するように構成される、
請求項４３に記載のアクセスネットワーク機器。
【請求項４５】
機器選択方法であって、
第１コアネットワーク機器が、第３遅延情報に従って第２コアネットワーク機器を選択することを含み、前記第３遅延情報は、第２パスでのデータ伝送の遅延を示し、前記第２パスは、第２コアネットワーク機器と第１アクセスネットワーク機器との間のユーザプレーンデータパスであり、または、前記第２パスは、第２コアネットワーク機器と端末機器との間のユーザプレーンデータパスである、前記機器選択方法。
【請求項４６】
前記第１コアネットワーク機器が前記第３遅延情報に従って第２コアネットワーク機器を選択することは、
前記第１コアネットワーク機器が、前記第３遅延情報に従って、選択される第２コアネットワーク機器の位置情報を決定し、前記選択される第２コアネットワーク機器の位置情報に従って第２コアネットワーク機器を選択することを含む、
請求項４５に記載の機器選択方法。
【請求項４７】
前記選択される第２コアネットワークの位置情報は、ＤＮＡＩおよび／または第２コアネットワーク機器の識別子に基づいて決定される、
請求項４６に記載の機器選択方法。
【請求項４８】
前記第３遅延情報は、第２遅延情報に基づいて決定され、前記第２遅延情報は、前記第１アクセスネットワーク機器と前記端末機器との間でのデータ伝送の遅延を示す、
請求項４５ないし４７のいずれか一項に記載の機器選択方法。
【請求項４９】
前記第２遅延情報は、前記第１アクセスネットワーク機器と前記端末機器との間でのデータ伝送の第２アップリンク遅延情報および／または第２ダウンリンク遅延情報を含む、
請求項４８に記載の機器選択方法。
【請求項５０】
前記第２遅延情報は、前記第１コアネットワーク機器によって前記第１アクセスネットワーク機器から取得される、
請求項４８または４９に記載の機器選択方法。
【請求項５１】
前記第３遅延情報は、第２パスでのデータ伝送の第３アップリンク遅延情報および／または第３ダウンリンク遅延情報を含む、
請求項４５に記載の機器選択方法。
【請求項５２】
前記第１コアネットワーク機器が第３遅延情報に従って第２コアネットワーク機器を選択する前に、前記機器選択方法は、
前記第１コアネットワーク機器が、署名情報に従って前記第３遅延情報を決定することをさらに含む、
請求項４５に記載の機器選択方法。
【請求項５３】
第１コアネットワーク機器として使用する、コアネットワーク機器であって、前記コアネットワーク機器は、第３遅延情報に従って第２コアネットワーク機器を選択するように構成される選択ユニットを備え、前記第３遅延情報は、第２パスでのデータ伝送の遅延を示し、前記第２パスは、第２コアネットワーク機器と第１アクセスネットワーク機器との間のユーザプレーンデータパスであり、または、前記第２パスは、第２コアネットワーク機器と端末機器との間のユーザプレーンデータパスである、前記コアネットワーク機器。
【請求項５４】
前記選択ユニットは、前記第３遅延情報に従って、選択される第２コアネットワーク機器の位置情報を決定し、前記選択される第２コアネットワーク機器の位置情報に従って第２コアネットワーク機器を選択するように構成される、
請求項５３に記載のコアネットワーク機器。
【請求項５５】
前記選択される第２コアネットワークの位置情報は、ＤＮＡＩおよび／または第２コアネットワーク機器の識別子に基づいて決定される、
請求項５４に記載のコアネットワーク機器。
【請求項５６】
前記第３遅延情報は、第２遅延情報に基づいて決定され、前記第２遅延情報は、前記第１アクセスネットワーク機器と前記端末機器との間でのデータ伝送の遅延を示す、
請求項５３ないし５５のいずれか一項に記載のコアネットワーク機器。
【請求項５７】
前記第２遅延情報は、前記第１アクセスネットワーク機器と前記端末機器との間でのデータ伝送の第２アップリンク遅延情報および／または第２ダウンリンク遅延情報を含む、
請求項５６に記載のコアネットワーク機器。
【請求項５８】
前記コアネットワーク機器はさらに、前記第１アクセスネットワーク機器から前記第２遅延情報を取得するように構成される第３通信ユニットを備える、
請求項５６または５７に記載のコアネットワーク機器。
【請求項５９】
前記第３遅延情報は、第２パスでのデータ伝送の第３アップリンク遅延情報および／または第３ダウンリンク遅延情報を含む、
請求項５３に記載のコアネットワーク機器。
【請求項６０】
前記コアネットワーク機器はさらに、前記選択ユニットが第３遅延情報に従って第２コアネットワーク機器を選択する前に、署名情報に従って前記第３遅延情報を決定するように構成される決定ユニットを備える、
請求項５３に記載のコアネットワーク機器。
【請求項６１】
コアネットワーク機器であって、プロセッサと、プロセッサで実行可能なコンピュータプログラムを記憶するように構成されるメモリと、を備え、前記プロセッサは、前記コンピュータプログラムを実行する時に、請求項１ないし１３のいずれか一項に記載の方法のステップを実行するように構成され、または、前記プロセッサは、前記コンピュータプログラムを実行する時に、請求項４５ないし５２のいずれか一項に記載の方法のステップを実行するように構成される、前記コアネットワーク機器。
【請求項６２】
アクセスネットワーク機器であって、プロセッサと、プロセッサで実行可能なコンピュータプログラムを記憶するように構成されるメモリと、を備え、前記プロセッサは、前記コンピュータプログラムを実行する時に、請求項１４ないし２２のいずれか一項に記載の方法のステップを実行するように構成される、前記アクセスネットワーク機器。
【請求項６３】
チップであって、メモリからコンピュータプログラムを呼び出して実行して、前記チップを実装した機器に請求項１ないし１３のいずれか一項に記載の方法を実行させ、または、前記チップを実装した機器に請求項１４ないし２２のいずれか一項に記載の方法を実行させ、または、前記チップを実装した機器に請求項４５ないし５２のいずれか一項に記載の方法を実行させるように構成されるプロセッサを備える、前記チップ。
【請求項６４】
コンピュータプログラムが記憶された、コンピュータ可読記憶媒体であって、前記コンピュータプログラムがプロセッサによって実行される時に、請求項１ないし１３のいずれか一項に記載の方法のステップを実現し、または、前記コンピュータプログラムがプロセッサによって実行される時に、請求項１４ないし２２のいずれか一項に記載の方法のステップを実現し、または、前記コンピュータプログラムがプロセッサによって実行される時に、請求項４５ないし５２のいずれか一項に記載の方法のステップを実現する、前記コンピュータ可読記憶媒体。
【請求項６５】
コンピュータプログラム製品であって、コンピュータプログラム命令を含み、前記コンピュータプログラム命令は、コンピュータに請求項１ないし１３のいずれか一項に記載の方法を実行させるように構成され、または、前記コンピュータプログラム命令は、コンピュータに請求項１４ないし２２のいずれか一項に記載の方法を実行させるように構成され、または、前記コンピュータプログラム命令は、コンピュータに請求項４５ないし５２のいずれか一項に記載の方法を実行させるように構成される、前記コンピュータプログラム製品。
【請求項６６】
コンピュータプログラムであって、前記コンピュータプログラムは、コンピュータに請求項１ないし１３のいずれか一項に記載の方法を実行させるように構成され、または、前記コンピュータプログラムは、コンピュータに請求項１４ないし２２のいずれか一項に記載の方法を実行させるように構成され、または、前記コンピュータプログラムは、コンピュータに請求項４５ないし５２のいずれか一項に記載の方法を実行させるように構成される、前記コンピュータプログラム。
【発明の詳細な説明】
【技術分野】
【０００１】
本発明は、無線通信技術分野に関し、特に、データ伝送制御方法、ネットワーク機器および記憶媒体に関する。
【背景技術】
【０００２】
サービス品質（ＱｏＳ：Ｑｕａｌｉｔｙ  ｏｆ  Ｓｅｒｖｉｃｅ）パラメータには、ユーザプレーン機能（ＵＰＦ：Ｕｓｅｒ  ｐｌａｎｅ  Ｆｕｎｃｔｉｏｎ）とユーザ機器（ＵＥ：Ｕｓｅｒ  Ｅｑｕｉｐｍｅｎｔ）との間での伝送遅延を示すパケット遅延バジェット（ＰＤＢ：Ｐａｃｋｅｔ  Ｄｅｌａｙ  Ｂｕｄｇｅｔ）が含まれる。エアインターフェーススケジューリングのために、基地局は、ＱｏＳパラメータを受信すると、ＱｏＳパラメータのＰＤＢ値から１つのコアネットワークの伝送遅延（コアネットワーク伝送遅延は、ＵＰＦと基地局との間での伝送遅延である）を示す１つのデフォルト値を減算し、それによって得られた時間をエアインターフェース伝送遅延として使用する。ただし、コアネットワーク伝送遅延を示すデフォルト値は、実際の伝送遅延を示すことができない場合が多く、例えば、伝送パスが混雑であることもあれば、アイドルになることもあり、または、異なるＵＰＦと基地局間の距離も異なるため、この方式では正確なエアインターフェース伝送遅延を取得できない。
【発明の概要】
【発明が解決しようとする課題】
【０００３】
本出願の実施例は、正確なエアインターフェース伝送遅延を取得することができる、データ伝送制御方法、ネットワーク機器および記憶媒体を提供する。
【課題を解決するための手段】
【０００４】
第１態様によれば、データ伝送制御方法を提供し、前記方法は、第１コアネットワーク機器が、第１遅延情報を第１アクセスネットワーク機器に送信することであって、前記第１遅延情報は、第１パスでのデータ伝送の遅延を示し、前記第１パスは、第２コアネットワーク機器と前記第１アクセスネットワーク機器との間のユーザプレーンデータパスであることを含む。
【０００５】
第２態様によれば、データ伝送制御方法を提供し、前記方法は、第１アクセスネットワーク機器が、第１コアネットワーク機器からの第１遅延情報を受信することであって、前記第１遅延情報は、第１パスでのデータ伝送のアップリンクおよび／またはダウンリンクの遅延情報を含み、前記第１パスは、第２コアネットワーク機器と前記第１アクセスネットワーク機器との間のユーザプレーンデータパスであることと、前記第１アクセスネットワーク機器が、前記第１パスでのデータフローに対応する遅延情報および前記第１遅延情報に従って第２遅延情報を決定することであって、前記遅延情報は、前記第２コアネットワーク機器と端末機器との間でのデータ伝送の遅延を示し、前記第２遅延情報は、前記第１アクセスネットワーク機器と前記端末機器との間でのデータ伝送の遅延を示すことと、を含む。
【０００６】
第３態様によれば、上記の第１態様または第１態様の各実施形態における方法を実行するためのコアネットワーク機器を提供する。具体的に、前記コアネットワーク機器は、上記の第１態様または第１態様の各実施形態における方法を実行するための機能モジュールを備える。
【０００７】
第４態様によれば、上記の第２態様または第２態様の各実施形態における方法を実行するためのアクセスネットワーク機器を提供する。具体的に、前記アクセスネットワーク機器は、上記の第２態様または第２態様の各実施形態における方法を実行するための機能モジュールを備える。
【０００８】
第５態様によれば、機器選択方法を提供し、前記方法は、第１コアネットワーク機器が、第３遅延情報に従って第２コアネットワーク機器を選択することであって、前記第３遅延情報は、第２パスでのデータ伝送の遅延を示し、前記第２パスは、第２コアネットワーク機器と第１アクセスネットワーク機器との間のユーザプレーンデータパスであり、または、前記第２パスは、第２コアネットワーク機器と端末機器との間のユーザプレーンデータパスであることを含む。
【０００９】
第６態様によれば、上記の第５態様または第５態様の各実施形態における方法を実行するためのコアネットワーク機器を提供する。具体的に、前記コアネットワーク機器は、上記の第５態様または第５態様の各実施形態における方法を実行するための機能モジュールを備える。
【００１０】
第７態様によれば、コアネットワーク機器を提供し、前記コアネットワーク機器は、プロセッサと、プロセッサで実行可能なコンピュータプログラムを記憶するように構成されるメモリと、を備え、前記プロセッサは、前記コンピュータプログラムを実行する時に、上記の第１態様または第１態様または第１態様の各実施形態における方法のステップを実行し、または、上記の第５態様または第５態様の各実施形態における方法のステップを実行するように構成される。
【００１１】
第８態様によれば、アクセスネットワーク機器を提供し、前記アクセスネットワーク機器は、プロセッサと、プロセッサで実行可能なコンピュータプログラムを記憶するように構成されるメモリと、を備え、前記プロセッサは、前記コンピュータプログラムを実行する時に、上記の第２態様または第２態様の各実施形態における方法のステップを実行するように構成される。
【００１２】
第９態様によれば、上記の第１態様、または第２態様、または第５態様のうちの任意の態様またはその各実施形態における方法を実現するためのチップを提供する。具体的に、前記チップは、メモリからコンピュータプログラムを呼び出して実行して、前記チップを実装した機器に上記の第１態様、または第２態様、または、第５態様のうちの任意の態様またはその各実施形態における方法を実行させるように構成されるプロセッサを備える。
【００１３】
第１０態様によれば、コンピュータプログラムを記憶するように構成されるコンピュータ可読記憶媒体を提供し、前記コンピュータプログラムは、コンピュータに上記の第１態様、または第２態様、または第５態様のうちの任意の態様またはその各実施形態における方法を実行させるように構成される。
【００１４】
第１１態様によれば、コンピュータプログラム命令を含むコンピュータプログラム製品を提供し、前記コンピュータプログラム命令は、コンピュータに上記の第１態様、または第２態様、または第５態様のうちの任意の態様またはその各実施形態における方法を実行させるように構成される。
【００１５】
第１２態様によれば、コンピュータプログラムを提供し、前記コンピュータプログラムは、コンピュータで実行される時に、コンピュータに上記の第１態様、または第２態様、または第５態様のうちの任意の態様またはその各実施形態における方法を実行させるように構成される。
【発明の効果】
【００１６】
本出願の実施例による技術的解決策によれば、第１コアネットワーク機器が、第２コアネットワーク機器と第１アクセスネットワーク機器との間のユーザプレーンデータパスの遅延を示す第１遅延情報を前記第１アクセスネットワーク機器に送信することにより、第１アクセスネットワーク機器が、前記第１遅延情報に基づいて、第１アクセスネットワーク機器と端末機器との間でのデータ伝送遅延を示す第２遅延情報を決定でき、これにより、より実態に近いエアインターフェース伝送遅延、すなわち、より正確なエアインターフェース伝送のスケジュール可能時間を取得することができる一方で、データ伝送効率を大幅に向上させることができる。
【図面の簡単な説明】
【００１７】
【図１】本出願の実施例による通信システムアーキテクチャの概略図である。
【図２】本出願の実施例によるデータ伝送制御方法の例示的なフローチャートである。
【図３】本出願の実施例によるデータ伝送制御方法の例示的なフローチャートである。
【図４】本出願の実施例による別のデータ伝送制御方法の例示的なフローチャートである。
【図５ａ】本出願の実施例によるデータ伝送制御方法の適用プロセスの概略図である。
【図５ｂ】本出願の実施例によるデータ伝送制御方法の適用プロセスの概略図である。
【図５ｃ】本出願の実施例によるデータ伝送制御方法の適用プロセスの概略図である。
【図６】本出願の実施例によるコアネットワーク機器の例示的なブロック図である。
【図７】本出願の実施例による別のコアネットワーク機器の例示的なブロック図である。
【図８】本出願の実施例によるアクセスネットワーク機器の例示的なブロック図である。
【図９】本出願の実施例による通信機器のハードウェア構造の概略図である。
【図１０】本出願の実施例によるチップの例示的なブロック図である。
【発明を実施するための形態】
【００１８】
以下、本出願の実施例における図面を参照して、本出願の実施例における技術的解決策を説明するが、説明される実施例は、本出願の実施例の一部であるが、全部ではないことは明らかである。本出願の実施例に基づいて、創造的な努力なしに当業者によって得られる他のすべての実施例は、本出願の保護範囲に含まれる。
【００１９】
本出願の実施例による技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなど、様々な通信システムに適用されることができる。
【００２０】
例示的に、図１は、本出願の実施例が適用される通信システム１００を示す。前記通信システム１００は、ネットワーク機器１１０を含み得、ネットワーク機器１１０は、端末機器１２０（または通信端末、端末と呼ばれる）と通信する機器であってもよい。ネットワーク機器１１０は、特定の地理的エリアに通信カバレッジを提供することができ、前記カバレッジエリア内にある端末機器と通信することができる。例示的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、または、前記ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２１】
前記通信システム１００は、ネットワーク機器１１０のカバレッジエリア内にある少なくとも１つの端末機器１２０をさらに含む。ここで使用される「端末機器」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブル接続などのワイヤライン、および／またはおよび／または別のデータ接続／ネットワーク、および／または無線インターフェース、ＤＶＢ−Ｈ  ネットワークのデジタルテレビネットワーク、衛星ネットワーク、ＡＭ−ＦＭブロードキャスト送信機などのセルラーネットワーク、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋ）などのワイヤレスインターフェース、および／または別の端末機器の通信信号を受信／送信するように設定された装置、および／または物事のインターネットシステム（ＩｏＴ：Ｉｎｔｅｒｎｅｔ  ｏｆ  Ｔｈｉｎｇｓ）機器を含むが、これらに限定されない。無線インターフェースを介して通信するように設定された端末機器は、「無線通信端末」、「無線端末」または「モバイル端末」と呼ばれることができる。モバイル端末は、例えば、衛星または携帯電話、セルラー無線電話とデータ処理、ファックスおよびデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダおよび／またはグローバルポジショニングシステム（ＧＰＳ：Ｇｌｏｂａｌ  Ｐｏｓｉｔｉｏｎｉｎｇ  Ｓｙｓｔｅｍ）受信器を含むことができるＰＤＡ、および従来のラップトップ型および／またはハンドヘルド型受信器または無線電話トランシーバを含む他の電子装置を含んでもよいが、これらに限定されない。端末機器は、アクセス端末、ユーザ機器（ＵＥ：Ｕｓｅｒ  Ｅｑｕｉｐｍｅｎｔ）、ユーザユニット、ユーザステーション、モバイルステーション、移動台、リモートステーション、リモート端末、モバイルデバイス、ユーザ端末、端末、無線通信デバイス、ユーザエージェント、またはユーザデバイスを指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または将来進化するＰＬＭＮにおける端末機器などであり得る。
【００２２】
例示的に、端末機器１２０間で装置対装置（Ｄ２Ｄ：Ｄｅｖｉｃｅ  ｔｏ  Ｄｅｖｉｃｅ）通信を実行することができる。
【００２３】
例示的に、５Ｇシステムまたは５Ｇネットワークは、ニューラジオ（ＮＲ：Ｎｅｗ  Ｒａｄｉｏ）システムまたはＮＲネットワークと呼ばれることもできる。
【００２４】
図１は、１つのネットワーク機器および２つの端末機器を例示的に示し、オプションで、前記通信システム１００は、複数のネットワーク機器を含むことができ、各ネットワーク機器のカバレッジエリア内には、他の数の端末機器を含むことができるが、本出願の実施例はこれに限定されない。
【００２５】
例示的に、前記通信システム１００は、ネットワークコントローラ、モバイル管理エンティティなどの他のネットワークエンティティをさらに含むことができるが、本出願の実施例はこれに限定されない。
【００２６】
本出願の実施例では、ネットワーク／システムにおける通信機能を備えた機器を通信機器と呼ばれることができることを理解されたい。図１に示す通信システム１００を例とすると、通信機器は、通信機能を備えたネットワーク機器１１０および端末機器１２０を含むことができ、ネットワーク機器１１０および端末機器１２０は上述した特定の機器であってもよく、ここでは再び説明しない。通信機器は、ネットワークコントローラ、モバイル管理エンティティなどの他のネットワークエンティティなど、通信システム１００における他の機器をさらに含むことができ、本出願の実施例はこれらに限定されない。
【００２７】
本明細書における「システム」および「ネットワーク」という用語は、本明細書で常に互換的に使用されることを理解されたい。本明細書における「および／または」という用語は、関連付けられたオブジェクトを説明する単なる関連付けであり、３種類の関係が存在することができることを示し、例えば、Ａおよび／またはＢは、Ａが独立で存在する場合、ＡとＢが同時に存在する場合、Ｂが独立で存在する場合の３つの場合を表す。加えて、本明細書における記号「／」は、一般的に、コンテキストオブジェクトが「または」の関係であることを示す。
【００２８】
本出願の実施例は、データ伝送制御方法を提供する。図２は、本出願の実施例によるデータ伝送制御方法の例示的なフローチャートであり、図２に示されるように、前記データ伝送制御方法は以下のステップを含む。
【００２９】
ステップＳ１１において、第１コアネットワーク機器が、第１遅延情報を第１アクセスネットワーク機器に送信し、前記第１遅延情報は、第１パスでのデータ伝送の遅延を示し、前記第１パスは、第２コアネットワーク機器と前記第１アクセスネットワーク機器との間のユーザプレーンデータパスである。
【００３０】
本実施例において、第１コアネットワーク機器は、コアネットワークにおける任意の機器であり得、一実施形態として、第１コアネットワーク機器は、セッション管理機能（ＳＭＦ：Ｓｅｓｓｉｏｎ  Ｍａｎａｇｅｍｅｎｔ  Ｆｕｎｃｔｉｏｎ）エンティティであり得る。第１アクセスネットワーク機器は、アクセスネットワークにおける任意の機器であり得、一実施形態として、第１アクセスネットワーク機器は、５ＧシステムまたはＮＲシステムにおけるｇＮＢなどの基地局であり得る。
【００３１】
本実施例において、第１遅延情報は、第１パスの伝送遅延を示し、前記第１パスは、第２コアネットワーク機器と前記第１アクセスネットワーク機器との間のユーザプレーンデータパスである。一実施形態として、前記第２コアネットワーク機器は、ＵＰＦエンティティであり得、第１アクセスネットワーク機器が基地局である場合、第１パスは、ＵＰＦエンティティから基地局へのデータ伝送パスである。
【００３２】
本実施例において、前記第１遅延情報は、前記第１パスでのデータ伝送の第１アップリンク遅延情報および／または第１ダウンリンク遅延情報を含む。第１パスがＵＰＦエンティティから基地局へのデータ伝送パスである場合、第１アップリンク遅延情報は、基地局からＵＰＦエンティティへのデータ伝送遅延であり、第１ダウンリンク遅延情報は、ＵＰＦエンティティから基地局へのデータ伝送遅延である。
【００３３】
例示的に、前記第１コアネットワーク機器が、第１遅延情報を第１アクセスネットワーク機器に送信することは、前記第１アップリンク遅延情報と前記第１ダウンリンク遅延情報が同じである場合、前記第１コアネットワーク機器が、１つの遅延情報を第１アクセスネットワーク機器に送信することであって、前記１つの遅延情報は、前記第１パスでのデータ伝送のアップリンク伝送遅延およびダウンリンク伝送遅延を示すことを含む。
【００３４】
第１アップリンク遅延情報と第１ダウンリンク遅延情報が同じである場合、第１コアネットワーク機器は、１つの遅延情報のみを第１アクセスネットワーク機器に送信し、前記１つの遅延情報は、基地局からＵＰＦエンティティへのデータ伝送遅延およびＵＰＦエンティティから基地局へのデータ伝送遅延を示すことが理解できる。
【００３５】
本出願の一可能な実施例において、前記第１コアネットワーク機器が、第１遅延情報を第１アクセスネットワーク機器に送信する前に、前記データ伝送制御方法は、前記第１コアネットワーク機器が、前記第１遅延情報を決定することであって、前記第１遅延情報は、前記第２コアネットワーク機器の位置情報、前記第１アクセスネットワーク機器の位置情報、前記第１パスのネットワーク状態、前記第１パスで伝送されるデータがアップリンクデータであるかダウンリンクデータであるか、前記第１パスで伝送されるデータに対応するネットワークスライス識別子および／またはデータネットワーク名（Ｄａｔａ  Ｎｅｔｗｏｒｋ  Ｎａｍｅ、ＤＮＮ）、前記第１パスに中間第２コアネットワーク機器があるか否か、および署名ポリシのうちの少なくとも１つの情報に従って決定されることをさらに含み、ここで、前記第２コアネットワーク機器の位置情報は、前記第２コアネットワーク機器の識別子および／またはデータネットワークアクセス識別子（ＤＮＡＩ）に基づいて決定され、前記第１アクセスネットワーク機器の位置情報は、前記第１アクセスネットワーク機器の識別子および／または前記第１アクセスネットワーク機器が属するトラッキングエリア識別子または登録エリア識別子に基づいて決定される。
【００３６】
本実施例において、第１コアネットワーク機器によって第１アクセスネットワーク機器に送信される第１遅延情報は、具体的に、第１パスによって接続されたネットワーク要素ノードの位置情報（第２コアネットワーク機器の位置情報および／または第１アクセスネットワーク機器の位置情報を含む）、第１パスのネットワーク状態、第１パスで伝送されるデータタイプ（前記データタイプは、具体的には、データがアップリンクデータタイプかダウンリンクデータタイプかを示す）、第１パスで伝送されるデータに対応するサービス特徴（具体的には、ネットワークスライス識別子および／またはＤＮＮによって示される）、第１パスに中間第２コアネットワーク機器があるか否か、およびエンドユーザの署名ポリシのうちの少なくとも１つのパラメータに従って決定される。
【００３７】
ここで、第１パスによって接続されたネットワーク要素ノードの位置情報（第２コアネットワーク機器の位置情報および／または第１アクセスネットワーク機器の位置情報を含む）は、具体的には、ネットワーク要素ノードの実際の地理的位置であり得る。実際の応用では、一実施形態として、取得されたネットワーク要素ノード情報のうちのネットワーク要素ノードの識別子（第２コアネットワーク機器の識別子および／または第１アクセスネットワーク機器の識別子）によって対応するネットワーク要素ノードの的実際の地理的位置を決定することができる。別の実施形態として、取得された、第２コアネットワーク機器が接続されているデータネットワーク（ＤＮ：Ｄａｔａ  Ｎｅｔｗｏｒｋ）のデータネットワークアクセス識別子（ＤＮＡＩ）によって前記第２コアネットワーク機器の位置を決定でき、および／または、取得された、第１アクセスネットワーク機器が属するトラッキングエリア識別子または登録エリア識別子によって第１アクセスネットワーク機器の位置を決定できる。
【００３８】
あるいは、第１パスによって接続されたネットワーク要素ノードの位置情報（第２コアネットワーク機器の位置情報および／または第１アクセスネットワーク機器の位置情報を含む）は、ネットワーク要素ノードの近似位置であってもよい。実際の応用では、第１コアネットワーク機器が、第２コアネットワーク機器の実際の地理的位置を決定するのが難しい場合、第２コアネットワーク機器に接続されているＤＮの位置など、第２コアネットワーク機器に関連付けられている他のネットワーク要素機器の位置を第２コアネットワーク機器の近似位置として使用でき、またはＤＮの識別子（即ちＤＮＡＩ）を第２コアネットワーク機器の識別子として使用することができ、または第１アクセスネットワーク機器の場合、第１アクセスネットワーク機器が属するトラッキングエリアまたは登録エリアを第１アクセスネットワーク機器の近似位置として使用し、つまり、トラッキングエリア識別子または登録エリア識別子を第１アクセスネットワーク機器の識別子として使用する。
【００３９】
図３は、本出願の実施例によるデータ伝送制御方法が適用される通信システムアーキテクチャの論理関係の概略図であり、図３に示されるように、前記通信システムアーキテクチャは、５Ｇシステムのアーキテクチャであり、具体的には、ＵＥ、（無線）アクセスネットワーク（（Ｒ）ＡＮ）、ＵＰＦ、ＤＮ、接続及び移動性管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）、ＳＭＦ、ＵＤＭ、ＡＵＳＦ、ＮＳＳＦ、ＰＣＦ、ＡＦなとのネットワーク要素機器を含むことができ、図に示す接続関係によると、第２コアネットワーク機器としてのＵＰＦはＤＮに接続され、したがって、一部の実施形態では、ＤＮの位置を第２コアネットワーク機器の近似位置として使用てき、つまり、ＤＮの識別子（すなわちＤＮＡＩ）によって第２コアネットワーク機器の位置を決定する。
【００４０】
本実施例において、第１コアネットワーク機器は、上記の情報に従ってマッピング関係セットをプリセットすることができ、つまり、異なる情報または情報の組み合わせが１つの第１遅延情報に対応し、前記第１遅延情報は、経験またはテスト結果に基づいて決定または構成されることができ、実際の応用では、マッピング関係テーブルをプリセットする形で実現することができる。一例として、表１は、ＤＮＡＩおよびトラッキングエリア（または登録エリア）識別子（ＴＡＩ：Ｔｒａｃｋｉｎｇ  Ａｒｅａ  Ｉｄ）に基づいて第１遅延情報を決定することの例示であり、ＤＮＡＩの値およびＴＡＩの値に従って第１遅延情報を決定することができる。
【表１】
2022502929.tif 000003
【００４１】
ここで、前記第１パスのネットワーク状態は、ネットワーク状態パラメータがプリセット条件を満たすか否かを判断することによって決定することができる。一実施形態として、ネットワーク状態パラメータがプリセット条件を満たす場合、第１ネットワーク状態であると決定てき、ネットワーク状態パラメータがプリセット条件を満たさない場合、第２ネットワーク状態であると決定できる。別の実施形態として、ネットワーク状態パラメータが第１プリセット条件を満たす場合、第１ネットワーク状態であると決定でき、ネットワーク状態パラメータが第２プリセット条件を満たす場合、第２ネットワーク状態であると決定でき、ネットワーク状態パラメータが第１プリセット条件も第２プリセット条件も満たさない場合、第３ネットワーク状態であると決定できる。一例として、ネットワーク状態パラメータは、具体的には、伝送レートであり得、この場合、ネットワーク状態パラメータがプリセット条件を満たすか否かを判断することがｈ、具体的には、伝送レートがプリセットの閾値を超えるか否かを判断することによって決定でき、例えば、伝送レートが第１プリセットの閾値を超える場合、ネットワーク状態パラメータがプリセット条件を満たすと決定し、伝送レートが前記第１プリセットの閾値を超えない場合、ネットワーク状態パラメータがプリセット条件を満たさないと決定する。別の例では、伝送レートが第１プリセットの閾値を超える場合、ネットワーク状態パラメータが第１プリセット条件を満たすと決定し、伝送レートが第２プリセットの閾値を超えない場合、ネットワーク状態パラメータが第２プリセット条件を満たすと決定し、これに対して、伝送レートが第２プリセットの閾値を超え、かつ前記第１プリセットの閾値を超えない場合、ネットワーク状態パラメータが第１プリセット条件も第２プリセット条件も満たさないと決定できる。ここで、第１ネットワーク状態は、ネットワークアイドル状態であり得、前記第２ネットワーク状態は、ネットワークビジー状態（ネットワーク輻輳状態とも呼ばれることができる）であり得る。
【００４２】
ここで、前記第１パスに中間第２コアネットワーク機器があるか否か（例えば、第１パスに中間ＵＰＦエンティティがあるか否か）については、中間第２コアネットワーク機器がある場合、データ伝送プロセスには、中間第２コアネットワーク機器によるデータの受信および送信プロセスが含まれ、このプロセスにはまた時間がかかるため、第１遅延情報を決定するときに、第１パスに中間第２コアネットワーク機器があるか否かを考慮する必要がある。
【００４３】
ここで、前記第１パスで伝送されるデータがアップリンクデータまたはダウンリンクデータであるなど、異なるタイプのデータは、それぞれ異なる遅延に対応する。一般に、アップリンクデータおよびダウンリンクデータのネットワーク状態は通常異なり、例えば、アップリンクデータがダウンリンクデータよりも混雑しないか、混雑程度が低いので、アップリンクデータに対応する遅延は、ダウンリンクデータの遅延よりも少なくなる。
【００４４】
ここで、前記第１パスで伝送されるデータに対応するネットワークスライス識別子は、単一ネットワークスライス選択支援情報（Ｓ−ＮＳＳＡＩ：Ｓｉｎｇｌｅ−Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）によって表すことができ、Ｓ−ＮＳＳＡＩ識別子および／またはＤＮＮを使用して、サービス特徴を示すことができ、前記サービス特徴は、遅延要件を示すサービス特徴であり得、例えば、特定のデータが低遅延要件のサービス特徴に対応する場合、前記データに対応するＳ−ＮＳＳＡＩ識別子および／またはＤＮＮを使用して、前記サービスが低遅延要件のサービスであることを示すことができる。
【００４５】
本実施例において、第１コアネットワーク機器は、上記の情報に従ってマッピング関係セットをプリセットすることができ、つまり、異なる情報または情報の組み合わせが１つの第１遅延情報に対応し、前記第１遅延情報は、経験またはテスト結果に基づいて決定または構成されることができ、実際の応用では、マッピング関係テーブルをプリセットする形で実現することができる。例えば、マッピング関係テーブルは、同じ第１パスに接続されたネットワーク要素機器（第２コアネットワーク機器の位置および第１アクセスネットワーク機器の位置を含む）を示すことができ、前記テーブルは、２つのタイプの情報および対応する第１遅延情報を反映し、例えば、テーブルの行は、第１パスのネットワーク状態を示すことができ、テーブルの列は、第１パスで伝送されるデータに対応するサービス特徴を示すことができ、つまり、前記テーブルは、第２コアネットワーク機器が特定の位置にあり、第１アクセスネットワーク機器が別の位置にある場合、ネットワーク状態が特定の状態にあり、伝送されるデータに対応するサービス特徴が特定の特徴であるときの、対応する第１遅延情報を示す。
【００４６】
本出願の一可能な実施例において、前記第１コアネットワーク機器が、第１遅延情報を第１アクセスネットワーク機器に送信することは、前記第１コアネットワーク機器が、第３コアネットワーク機器によって第１遅延情報を第１アクセスネットワーク機器に送信することを含む。
【００４７】
本実施例において、第１コアネットワーク機器と第１アクセスネットワーク機器との間のデータ伝送パスには、しばしば他のコアネットワーク機器が存在し、第１コアネットワーク機器をＳＭＦエンティティとして、第１アクセスネットワーク機器を基地局として例にとると、ＳＭＦと基地局との間のデータ伝送パスには、少なくともＡＭＦエンティティも含まれ、ＳＭＦエンティティは、ＡＭＦエンティティを介して第１遅延情報を基地局に送信する。第１コアネットワーク機器は、少なくとも１つの第３コアネットワーク機器を介して第１遅延情報を第１アクセスネットワーク機器に送信することが理解できる。
【００４８】
本出願の一可能な実施例において、前記第１コアネットワーク機器が第１遅延情報を第１アクセスネットワーク機器に送信することは、前記第１コアネットワーク機器が、プロトコルデータユニット（ＰＤＵ：Ｐｒｏｔｏｃｏｌ  Ｄａｔａ  Ｕｎｉｔ）セッション確立プロセスにおける第１メッセージによって第１遅延情報を第１アクセスネットワーク機器に送信すること、前記第１コアネットワーク機器が、ＰＤＵセッション変更プロセスにおける第２メッセージによって第１遅延情報を第１アクセスネットワークに送信すること、前記第１コアネットワークが、端末機器のネットワーク登録プロセスにおける第３メッセージによって第１遅延情報を第１アクセスネットワークに送信すること、前記第１コアネットワークが、端末機器がアクセスするアクセスネットワーク機器のハンドオーバプロセスにおける第４メッセージによって第１遅延情報を第１アクセスネットワークに送信することのうちの少なくとも１つを含む。
【００４９】
本出願の実施例によるデータ伝送制御方法（即ち、第１コアネットワーク機器が、第１遅延情報を第１アクセスネットワーク機器に送信すること）は、ＰＤＵセッション確立プロセス、ＰＤＵセッション変更プロセス、端末機器のネットワーク登録プロセス、アクセスネットワーク機器へのハンドオーバプロセスのうちの少なくとも１つのプロセスに適用されることができ、上記のプロセスにおいて、第１コアネットワーク機器が第１アクセスネットワーク機器に送信する任意のメッセージで第１遅延情報を搬送することができ、または、第１コアネットワーク機器が第３コアネットワーク機器を介して第１アクセスネットワーク機器に送信する任意のメッセージで第１遅延情報を搬送することができる。
【００５０】
本出願の一可能な実施例において、前記データ伝送制御方法は、前記第１コアネットワーク機器が、前記第１遅延情報に従って第２コアネットワーク機器を選択することをさらに含む。
【００５１】
本実施例において、第１遅延情報が第２コアネットワーク機器の位置に基づいて決定されない（例えば、第１アクセスネットワーク機器の位置、第１パスのネットワーク機器、第１パスで伝送されるデータのタイプ、第１パスで伝送されるデータに対応するサービス特徴、エンドユーザの署名ポリシのうちの少なくとも１つの情報に基づいて決定された情報、または、デフォルトで設定された情報である）場合、第１コアネットワーク機器はまた、第１遅延情報に基づいて１つの第２コアネットワーク機器を選択することができる。
【００５２】
本出願の一可能な実施例において、前記第１コアネットワーク機器が、前記第１遅延情報に従って第２コアネットワーク機器を選択することは、前記第１コアネットワーク機器が、前記第１遅延情報に従って、選択される第２コアネットワーク機器の位置情報を決定し、前記選択される第２コアネットワーク機器の位置情報に従って第２コアネットワーク機器を選択することを含む。
【００５３】
具体的には、図３に示される例示的なアーキテクチャを参照することができ、（無線）アクセスネットワーク（（Ｒ）ＡＮ）に接続されるＵＰＦは複数であり得、図では、２つだけを例に挙げて示し、異なるＵＰＦの位置は異なり、つまり、（無線）アクセスネットワークとのパスが異なれば、（無線）アクセスネットワークとのパスの距離も異なり、各ＵＰＦが接続しているＤＮも異なる。第１遅延情報に基づいてＵＰＦの位置範囲を決定でき、つまり、少なくとも１つのＵＰＦを決定した後に、決定された少なくとも１つのＵＰＦから１つのＵＰＦを選択し、例えば、決定された少なくとも１つのＵＰＦから、基地局に最も近いＵＰＦを選択することができる。
【００５４】
一実施形態として、前記選択される第２コアネットワークの位置情報は、ＤＮＡＩおよび／または第２コアネットワーク機器の識別子に基づいて決定される。
【００５５】
例えば、表１に示す例を参照すると、第１遅延情報および第１アクセスネットワーク機器の位置が既知である（即ち、ＴＡＩ既知である）場合、少なくとも１つの第２コアネットワーク機器に対応するＤＮＡＩを決定することができ、決定された少なくとも１つの第２コアネットワーク機器に対応するＤＮＡＩから１つのＤＮＡＩを選択し、選択されたＤＮＡＩを第２コアネットワーク機器として使用することができる。
【００５６】
本出願の一可能な実施例において、前記第１遅延情報は、遅延情報および第２遅延情報に基づいて決定され、前記第２遅延情報は、前記第１アクセスネットワーク機器と前記端末機器との間でのデータ伝送の遅延を示し、前記遅延情報は、前記第２コアネットワーク機器と端末機器との間でのデータ伝送の遅延を示す。
【００５７】
ここで、前記遅延情報は、前記第２コアネットワーク機器と端末機器との間でのデータ伝送のアップリンク遅延情報および／またはダウンリンク遅延情報を含み、および／または、前記第２遅延情報は、前記第１アクセスネットワーク機器と前記端末機器との間でのデータ伝送の第２アップリンク遅延情報および／または第２ダウンリンク遅延情報を含む。
【００５８】
本実施例において、第１遅延情報は、遅延情報および第２遅延情報に基づいて決定され、前記遅延情報は、具体的には、ＱｏＳパラメータのＰＤＢであり得、第２遅延情報は、エアインターフェースの遅延を示し、実際の応用では、ＰＤＢから第２遅延情報を差し引くことによって第１遅延情報を取得することができる。
【００５９】
ここで、前記第２遅延情報は、前記第１コアネットワーク機器によって前記第１アクセスネットワーク機器から取得され、一例として、第１アクセスネットワーク機器は、前記第２遅延情報を推定し、推定された前記第２遅延情報を前記第１コアネットワーク機器に送信する。
【００６０】
本出願の一可能な実施例において、第１コアネットワーク機器は、第３遅延情報に基づいて第２コアネットワーク機器を選択し、つまり、第３遅延情報に基づいてＵＰＦエンティティを選択する。一例として、第１コアネットワーク機器は、第３遅延情報で示される遅延の長さに従って、選択可能な第２コアネットワーク機器のエリア範囲、選択可能な第２コアネットワーク機器に対応するパスのネットワーク状態、選択可能な第２コアネットワーク機器に対応するパスが、中間第２コアネットワーク機器の存在をサポートするか否か、選択可能な第２コアネットワーク機器に対応するパスで伝送されるデータに対応するネットワークスライス識別子および／またはＤＮＮ、および選択可能な第２コアネットワーク機器に対応するパスで伝送されるデータが、アップリンクデータであるかダウンリンクデータであるかのうちの少なくとも１つの情報を決定することができ、上記の情報に基づいて第２コアネットワーク機器を選択する。
【００６１】
例えば、第３遅延情報で示される遅延が比較的短い場合、選択可能な第２コアネットワーク機器の位置が第１アクセスネットワーク機器に近いと判断でき、または選択可能な第２コアネットワーク機器に対応するパスの輻輳状態が比較的弱い（即ち、ネットワーク状態が比較的アイドルである）と判断でき、または選択可能な第２コアネットワーク機器に対応するパスが、中間第２コアネットワーク機器の存在をサポートしないと判断でき、または選択可能な第２コアネットワーク機器に対応するパスで伝送されるデータに対応するネットワークスライス識別子および／またはＤＮＮで示される伝送中のデータが、低遅延要件のデータであると判断でき、または選択可能な第２コアネットワーク機器に対応するパスで伝送されるデータがアップリンクデータであると判断できる。
【００６２】
本出願の実施例による技術的解決策によれば、第１コアネットワーク機器が、第２コアネットワーク機器と第１アクセスネットワーク機器との間のユーザプレーンデータパスの遅延を示す第１遅延情報を前記第１アクセスネットワーク機器に送信することにより、第１アクセスネットワーク機器が、前記第１遅延情報に基づいて、第１アクセスネットワーク機器と端末機器との間でのデータ伝送遅延を示す第２遅延情報を決定でき、これにより、より実態に近いエアインターフェース伝送遅延、すなわち、より正確なエアインターフェース伝送のスケジュール可能時間を取得することができる一方で、データ伝送効率を大幅に向上させることができる。
【００６３】
本出願の実施例は、別のデータ伝送制御方法をさらに提供する。図４は、本出願の実施例による別のデータ伝送制御方法の例示的なフローチャートであり、図４に示されるように、前記データ伝送制御方法は以下のステップを含む。
【００６４】
ステップＳ２１において、第１アクセスネットワーク機器が、第１コアネットワーク機器からの第１遅延情報を受信し、前記第１遅延情報は、第１パスでのデータ伝送の遅延情報を含み、前記第１パスは、第２コアネットワーク機器と前記第１アクセスネットワーク機器との間のユーザプレーンデータパスである、
ステップＳ２２において前記第１アクセスネットワーク機器が、前記第１パスでのデータフローに対応する遅延情報および前記第１遅延情報に従って第２遅延情報を決定し、前記遅延情報は、前記第２コアネットワーク機器と端末機器との間でのデータ伝送の遅延を示し、前記第２遅延情報は、前記第１アクセスネットワーク機器と前記端末機器との間でのデータ伝送の遅延を示す。
【００６５】
本実施例において、第１アクセスネットワーク機器は、アクセスネットワークにおける任意の機器であり得、一実施形態として、第１アクセスネットワーク機器は、５ＧシステムまたはＮＲシステムにおけるｇＮＢなどの基地局であり得る。第１コアネットワーク機器は、コアネットワークにおける任意の機器であり得、一実施形態として、第１コアネットワーク機器は、ＳＭＦエンティティであり得る。
【００６６】
本実施例において、第１遅延情報は、第１パスの伝送遅延を示し、前記第１パスは、第２コアネットワーク機器と前記第１アクセスネットワーク機器との間のユーザプレーンデータパスである。一実施形態として、前記第２コアネットワーク機器は、ＵＰＦエンティティであり得、第１アクセスネットワーク機器が基地局である場合、第１パスは、ＵＰＦエンティティから基地局へのデータ伝送パスである。
【００６７】
本実施例において、前記第１遅延情報は、前記第１パスでのデータ伝送の第１アップリンク遅延情報および／または第１ダウンリンク遅延情報を含む、第１パスがＵＰＦエンティティから基地局へのデータ伝送パスである場合、第１アップリンク遅延情報は、基地局からＵＰＦエンティティへのデータ伝送遅延であり、第１ダウンリンク遅延情報は、ＵＰＦエンティティから基地局へのデータ伝送遅延である。
【００６８】
例示的に、前記第１アクセスネットワーク機器が第１コアネットワーク機器からの第１遅延情報を受信することは、前記第１アップリンク遅延情報と前記第１ダウンリンク遅延情報が同じである場合、前記第１アクセスネットワーク機器が、第１コアネットワーク機器からの１つの遅延情報を受信することであって、前記１つの遅延情報は、前記第１パスでのデータ伝送のアップリンク伝送遅延およびダウンリンク伝送遅延を示すことを含む。
【００６９】
第１アップリンク遅延情報と第１ダウンリンク遅延情報が同じである場合、第１コアネットワーク機器は、１つの遅延情報のみを第１アクセスネットワーク機器に送信し、前記１つの遅延情報は、基地局からＵＰＦエンティティへのデータ伝送遅延およびＵＰＦエンティティから基地局へのデータ伝送遅延を示すことが理解できる。
【００７０】
本出願の一可能な実施例において、前記第１遅延情報は、前記第２コアネットワーク機器の位置情報、前記第１アクセスネットワーク機器の位置情報、前記第１パスのネットワーク状態、前記第１パスで伝送されるデータがアップリンクデータであるかダウンリンクデータであるか、前記第１パス伝送的データに対応するネットワークスライス識別子および／またはＤＮＮ、前記第１パスに中間第２コアネットワーク機器があるか否か、および署名ポリシのうちの少なくとも１つの情報に従って決定される。
【００７１】
本出願の一可能な実施例において、前記第２コアネットワーク機器の位置情報は、前記第２コアネットワーク機器の識別子および／またはＤＮＡＩに基づいて決定され、前記第１アクセスネットワーク機器の位置情報は、前記第１アクセスネットワーク機器の識別子および／または前記第１アクセスネットワーク機器が属するトラッキングエリア識別子または登録エリア識別子に基づいて決定される。
【００７２】
本実施例において、第２コアネットワーク機器の位置情報は、第２コアネットワーク機器の近似位置によって表されることができ、第２コアネットワーク機器に関連付けられている他のネットワーク要素機器の位置を第２コアネットワーク機器の近似位置として使用でき、例えば、第２コアネットワーク機器に接続されたＤＮの位置を近似位置として使用でき、つまり、ＤＮの識別子（即ち、ＤＮＡＩ）を第２コアネットワーク機器の識別子として使用できる。第１アクセスネットワーク機器の位置情報は、第１アクセスネットワーク機器の近似位置によって表されることができ、第１アクセスネットワーク機器が属するトラッキングエリアまたは登録エリアと第１アクセスネットワーク機器近似位置として使用し、つまり、トラッキングエリア識別子または登録エリア識別子を第１アクセスネットワーク機器の識別子として使用する。
【００７３】
本出願の一可能な実施例において、前記第１遅延情報は、前記遅延情報および前記第２遅延情報に基づいて決定される。前記遅延情報は、具体的には、ＱｏＳパラメータのＰＤＢであり得、第２遅延情報は、エアインターフェースの遅延を示し、実際の応用では、ＰＤＢから第２遅延情報を差し引くことによって第１遅延情報を取得することができる。
【００７４】
本出願の一可能な実施例において、前記データ伝送制御方法は、前記第１アクセスネットワーク機器が、前記第２遅延情報を前記第１コアネットワーク機器に送信することにより、前記第１コアネットワーク機器が、前記第２遅延情報に基づいて第１遅延情報を決定するようにすることをさらに含む。
【００７５】
本実施例において、前記遅延情報は、前記第２コアネットワーク機器と端末機器との間でのデータ伝送のアップリンク遅延情報および／またはダウンリンク遅延情報を含み、および／または、前記第２遅延情報は、前記第１アクセスネットワーク機器と前記端末機器との間でのデータ伝送の第２アップリンク遅延情報および／または第２ダウンリンク遅延情報を含む。
【００７６】
ここで、前記遅延情報は、具体的には、ＱｏＳパラメータのＰＤＢであり得、各端末機器に対して少なくとも１つのＰＤＵセッション（ＰＤＵ  Ｓｅｓｓｉｏｎ）を確立でき、各ＰＤＵセッションは、複数のＱｏＳフローを有し得（ＱｏＳ  Ｆｌｏｗ）（前記ＱｏＳフローは、本出願の実施例におけるデータフローとして理解することができる）、各ＱｏＳフローは、１つのＱｏＳパラメータに対応し、つまり、本実施例において、第１アクセスネットワークは、第１パスでのデータフローに対応するＰＤＢおよび受信された第１遅延情報に従って第２遅延情報を決定し、前記第２遅延情報は、前記第１アクセスネットワーク機器と前記端末機器との間でのデータ伝送の遅延を示し、つまり、前記第２遅延情報は、エアインターフェースの遅延を示す。実際の応用では、ＰＤＢから第１遅延情報を差し引くことによって第２遅延情報を取得することができる。例えば、アップリンク遅延情報から第１アップリンク遅延情報を差し引くことによって第２アップリンク遅延情報取得し、別の例では、ダウンリンク遅延情報から第２アップリンク遅延情報を差し引くことによって第２ダウンリンク遅延情報を取得する。
【００７７】
本出願の一可能な実施例において、前記データ伝送制御方法は、前記第１アクセスネットワーク機器が、前記第２遅延情報を前記端末機器に送信すること、または、前記第１アクセスネットワーク機器が、前記第２アップリンク遅延情報を前記端末機器に送信することをさらに含む。
【００７８】
本実施例において、第１アクセスネットワーク機器は、第２遅延情報（第２アップリンク遅延情報および／または第２ダウンリンク遅延情報を含む）を端末機器に送信することにより、端末機器が、第２遅延情報に従ってアップリンクデータのスケジューリングを実行できるようにし、または、第１アクセスネットワークは、第２アップリンク遅延情報のみを端末機器に送信することにより、端末機器が、第２アップリンク遅延情報に従ってアップリンクデータのスケジューリングを実行できるようにする。
【００７９】
本出願の一可能な実施例において、前記データ伝送制御方法は、前記第１アクセスネットワーク機器が、前記第２遅延情報に従ってスケジューリングポリシを決定し、前記スケジューリングポリシを前記端末機器に送信することをさらに含む。
【００８０】
本実施形態では、第１アクセスネットワークは、第２遅延情報を端末機器に送信せず、第２遅延情報に従ってスケジューリングポリシを決定し、スケジューリングポリシを端末機器に送信することにより、端末機器が、前記スケジューリングポリシを実行してアップリンクデータの伝送実行するようにする。ここで、前記スケジューリングポリシは、端末機器が特定の時点および／または時間間隔でアップリンクデータおよび／またはダウンリンクデータを伝送できるようにし、前記時点は、特定の無線フレームのサブフレームシンボルに基づいて定義されることができる。
【００８１】
実際の応用では、第１アクセスネットワーク機器は、ネットワークの実際の状況および／または端末の能力に従ってオプションで、第２遅延情報を端末機器に送信する（または第２アップリンク遅延情報を送信する）こと、またはスケジューリングポリシを送信することができる。
【００８２】
本出願の一可能な実施例において、第１アクセスネットワーク機器が第１コアネットワーク機器からの第１遅延情報を受信しなかった場合、第１アクセスネットワーク機器は、前記第１パスでのデータフローに対応する遅延情報およびプリセットされたデフォルト遅延情報に従って第２遅延情報を決定する。前記デフォルト遅延情報は、プリセットされた第１パスでのデータ伝送の遅延であり、前記デフォルト遅延情報は、例えば１ｍｓ、２ｍｓ、１０ｍｓなどである。実際の応用では、前記遅延情報から前記デフォルト遅延情報を差し引くことによって第２遅延情報を取得することができる。
【００８３】
本出願の実施例による技術的解決策によれば、第１コアネットワーク機器が、第２コアネットワーク機器と第１アクセスネットワーク機器との間のユーザプレーンデータパスの遅延を示す第１遅延情報を前記第１アクセスネットワーク機器に送信することにより、第１アクセスネットワーク機器が、前記第１遅延情報に基づいて、第１アクセスネットワーク機器と端末機器との間でのデータ伝送遅延を示す第２遅延情報を決定でき、これにより、より実態に近いエアインターフェース伝送遅延、すなわち、より正確なエアインターフェース伝送のスケジュール可能時間を取得することができる一方で、データ伝送効率を大幅に向上させることができる。
【００８４】
以下、具体的な例を参照して、本出願の実施例によるデータ伝送制御方法の適用シナリオに対して説明する。
【００８５】
図５ａないし図５ｃは、本出願の実施例によるデータ伝送制御方法の適用プロセスの概略図であり、図５ａは、本出願の実施例によるデータ伝送制御方法が、ＰＤＵセッション確立プロセスに適用されることを示し、図５ａに示されるように、前記プロセスは以下のステップを含む。
【００８６】
ステップ１０１において、ＵＥがＡＭＦへのＰＤＵセッション確立要求（ＰＤＵ  Ｓｅｓｓｉｏｎ  Ｅｓｔａｂｌｉｓｈｍｅｎｔ  Ｒｅｑｕｅｓｔ）を開始する。
【００８７】
ステップ１０２において、ＡＭＦがＳＭＦ選択（ＳＭＦ  ｓｅｌｅｃｔｉｏｎ）を実行する。
【００８８】
ステップ１０３において、ＡＭＦがＳＭＦへのコンテキスト要求（Ｎｓｍｆ＿ＰＤＵ  Ｓｅｓｓｉｏｎ＿Ｃｒｅａｔｅ  ＳＭＣｏｎｔｅｘｔ  Ｒｅｑｕｅｓｔ）を開始する。
【００８９】
ステップ１０４ａ〜ｂにおいて、ＳＭＦとＵＤＭとの間で登録／サブスクリプション検索／サブスクリプション更新（Ｒｅｇｉｓｔｒａｔｉｏｎ／Ｓｕｂｓｃｒｉｐｔｉｏｎ  ｒｅｔｒｉｅｖａｌ／  Ｓｕｂｓｃｒｉｐｔｉｏｎ  ｆｏｒ  ｕｐｄａｔｅｓ）動作を実行する。
【００９０】
ステップ１０５において、ＳＭＦがＡＭＦにコンテキスト応答（Ｎｓｍｆ＿ＰＤＵ  Ｓｅｓｓｉｏｎ＿Ｃｒｅａｔｅ  ＳＭＣｏｎｔｅｘｔ  Ｒｅｓｐｏｎｓｅ）を送信する。
【００９１】
ステップ１０６において、ＰＤＵセッション認証／認可（ＰＤＵ  Ｓｅｓｓｉｏｎ  ａｕｔｈｅｎｔｉｃａｔｉｏｎ／ａｕｔｈｏｒｉｚａｔｉｏｎ）を実行する。
【００９２】
ステップ１０７ａ〜ｂにおいて、ＳＭＦがＰＣＦ選択（ＰＣＦ  ｓｅｌｅｃｔｉｏｎ）を実行し、ＳＭＦとＰＣＦとの間でポリシーアソシエーションの確立またはポリシーアソシエーションの変更（ＳＭ  Ｐｏｌｉｃｙ  Ａｓｓｏｃｉａｔｉｏｎ  Ｅｓｔａｂｌｉｓｈｍｅｎｔ  ｏｒ  ＳＭＦ  ｉｎｉｔｉａｔｅｄ  ＳＭ  Ｐｏｌｉｃｙ  Ａｓｓｏｃｉａｔｉｏｎ  Ｍｏｄｉｆｉｃａｔｉｏｎ）を実行する。
【００９３】
ステップ１０８において、ＳＭＦがＵＰＦ選択（ＵＰＦ  ｓｅｌｅｃｔｉｏｎ）を実行する。
【００９４】
ステップ１０９において、ＳＭＦが、ＳＭＦによって開始されるＳＭポリシーアソシエーションの変更（ＳＭＦ  ｉｎｉｔｉａｔｅｄ  ＳＭ  Ｐｏｌｉｃｙ  Ａｓｓｏｃｉａｔｉｏｎ  Ｍｏｄｉｆｉｃａｔｉｏｎ）を開始する。
【００９５】
ステップ１１０ａ〜ｂにおいて、ＳＭＦがＵＰＦにＮ４セッション確立／変更要求（Ｎ４  Ｓｅｓｓｉｏｎ  Ｅｓｔａｂｌｉｓｈｍｅｎｔ／  Ｍｏｄｉｆｉｃａｔｉｏｎ  Ｒｅｑｕｅｓｔ）を送信し、ＵＰＦがＳＭＦにＮ４セッション確立／変更応答（Ｎ４  Ｓｅｓｓｉｏｎ  Ｅｓｔａｂｌｉｓｈｍｅｎｔ／  Ｍｏｄｉｆｉｃａｔｉｏｎ  Ｒｅｓｐｏｎｓｅ）を送信する。
【００９６】
ステップ１１１において、ＳＭＦがＡＭＦにメッセージ（Ｎａｍｆ＿Ｃｏｍｍｕｎｉｃａｔｉｏｎ＿Ｎ１Ｎ２  Ｍｅｓｓａｇｅ  Ｔｒａｎｓｆｅｒ）を伝送し、前記メッセージで第１遅延情報を搬送する。
【００９７】
ステップ１１２において、ＡＭＦがアクセスネットワーク（基地局など）にＰＤＵセッション要求（Ｎ２  ＰＤＵ  Ｓｅｓｓｉｏｎ  Ｒｅｑｕｅｓｔ）を送信し、前記ＰＤＵセッション要求で前記第１遅延情報を搬送し、アクセスネットワークが、前記第１遅延メッセージおよびＱｏＳパラメータのＰＤＢに基づいて第２遅延情報を決定する。
【００９８】
ステップ１１３において、アクセスネットワークがＵＥにリソース確立（ＡＮ−ｓｐｅｃｉｆｉｃ  ｒｅｓｏｕｒｃｅ  ｓｅｔｕｐ）メッセージを送信し、前記リソース確立メッセージで前記第２遅延情報を搬送する。
【００９９】
ステップ１１４において、アクセスネットワークがＡＭＦにＰＤＵセッション要求確認（Ｎ２  ＰＤＵ  Ｓｅｓｓｉｏｎ  Ｒｅｑｕｅｓｔ  Ａｃｋ）を送信する。これまでのステップにより、ＵＥとＵＰＦとの間での最初のアップリンクデータ（Ｆｉｒｓｔ  Ｕｐｌｉｎｋ  Ｄａｔａ）の送信を完了する。
【０１００】
ステップ１１５において、ＡＭＦがＳＭＦにコンテキスト要求（Ｎｓｍｆ＿ＰＤＵ  Ｓｅｓｓｉｏｎ＿Ｕｐｄａｔｅ  ＳＭＣｏｎｔｅｘｔ  Ｒｅｑｕｅｓｔ）を送信する。
【０１０１】
ステップ１１６ａ〜ｂにおいて、ＳＭＦがＵＰＦにセッション変更要求（Ｎ４  Ｓｅｓｓｉｏｎ  Ｍｏｄｉｆｉｃａｔｉｏｎ  Ｒｅｑｕｅｓｔ）を送信し、ＵＰＦがＳＭＦにセッション変更応答（Ｎ４  Ｓｅｓｓｉｏｎ  Ｍｏｄｉｆｉｃａｔｉｏｎ  Ｒｅｓｐｏｎｓｅ）を送信する。これまでのステップにより、ＵＰＦとＵＥとの間での最初のダウンリンクデータ（Ｆｉｒｓｔ  Ｄｏｗｎｌｉｎｋ  Ｄａｔａ）の伝送を完了する。
【０１０２】
ステップ１１７において、ＳＭＦがＡＭＦにコンテキスト応答（Ｎｓｍｆ＿ＰＤＵ  Ｓｅｓｓｉｏｎ＿Ｕｐｄａｔｅ  ＳＭＣｏｎｔｅｘｔ  Ｒｅｓｐｏｎｓｅ）を送信する。
【０１０３】
ステップ１１８において、ＳＭＦがＡＭＦにコンテキスト状態通知（Ｎｓｍｆ＿ＰＤＵ  Ｓｅｓｓｉｏｎ＿Ｕｐｄａｔｅ  ＳＭＣｏｎｔｅｘｔＳｔａｔｕｓＮｏｔｉｆｙ）を送信する。
【０１０４】
ステップ１１９において、ＳＭＦがＵＥにＩＰｖ６アドレス構成メッセージ（ＩＰｖ６  Ａｄｄｒｅｓｓ  Ｃｏｎｆｉｇｕｒａｔｉｏｎ）を送信する。
【０１０５】
ステップ１２０において、ＳＭＦとＵＤＭとの間でサブスクリプション解除／登録解除（Ｕｎｓｕｂｓｃｒｉｐｔｉｏｎ／Ｄｅｒｅｇｉｓｔｒａｔｉｏｎ）を実行する。
【０１０６】
図５ｂは、本出願の実施例によるデータ伝送御方法が、ＰＤＵセッション変更プロセスに適用されることを示し、前記プロセスは、例えば、ネットワーク状態の変化プロセス、パスの変化プロセスなどである。図５ｂに示されるように、前記プロセスは以下のステップを含む。
【０１０７】
ステップ２０１ａにおいて、ＵＥがＡＭＦにＰＤＵセッション変更要求（ＰＤＵ  Ｓｅｓｓｉｏｎ  Ｍｏｄｉｆｉｃａｔｉｏｎ  Ｒｅｑｕｅｓｔ）を送信し、ＡＭＦがＳＭＦにＰＤＵセッション更新ＳＭコンテキスト（Ｎｓｍｆ＿ＰＤＵ  Ｓｅｓｓｉｏｎ＿Ｕｐｄａｔｅ  ＳＭＣｏｎｔｅｘｔ）を送信する。
【０１０８】
例示的に、前記ＰＤＵセッション変更要求で遅延更新識別子を搬送することができ、これに対して、前記ＰＤＵセッション更新ＳＭコンテキストで遅延更新識別子を搬送することができ、本シナリオでは、ＵＥが第１遅延情報の更新をトリガする。
【０１０９】
ステップ２０１ｂ〜ｄにおいて、ＳＭＦが、ＰＤＵセッションの更新に基づいて、ＰＣＦによって開始されるＳＭポリシーアソシエーションの変更（ＰＣＦ  ｉｎｉｔｉａｔｅｄ  ＳＭ  Ｐｏｌｉｃｙ  Ａｓｓｏｃｉａｔｉｏｎ  Ｍｏｄｉｆｉｃａｔｉｏｎ）を開始し、ＵＤＭに通知し（Ｎｕｄｍ＿ＳＤＭ＿Ｎｏｔｉｆｉｃａｔｉｏｎ）、本シナリオでは、ＳＭＦが第１遅延情報の更新をトリガする。
【０１１０】
ステップ２０１ｅにおいて、アクセスネットワーク（ＲＡＮ）がＡＭＦにＮ２メッセージ（Ｎ２  Ｍｅｓｓａｇｅ）を送信し、前記Ｎ２メッセージでＰＤＵセッション識別子（ＰＤＵ  Ｓｅｓｓｉｏｎ  ＩＤ）、およびＳＭ情報（ＳＭ  ｉｎｆｏｒｍａｔｉｏｎ）を搬送し、ＡＭＦがＳＭＦにＰＤＵセッション更新ＳＭコンテキスト（Ｎｓｍｆ＿ＰＤＵ  Ｓｅｓｓｉｏｎ＿Ｕｐｄａｔｅ  ＳＭＣｏｎｔｅｘｔ）を送信する。
【０１１１】
ステップ２０２において、ＳＭＦが、ＳＭＦによって開始されるＳＭポリシーアソシエーションの変更（ＳＭＦ  ｉｎｉｔｉａｔｅｄ  ＳＭ  Ｐｏｌｉｃｙ  Ａｓｓｏｃｉａｔｉｏｎ  Ｍｏｄｉｆｉｃａｔｉｏｎ）を開始する。
【０１１２】
ステップ２０３ａ〜ｂにおいて、ＳＭＦがＡＭＦにＰＤＵセッション更新ＳＭコンテキスト応答（Ｒｅｓｐｏｎｓｅ  ｏｆ  Ｎｓｍｆ＿ＰＤＵ  Ｓｅｓｓｉｏｎ＿Ｕｐｄａｔｅ  ＳＭ  Ｃｏｎｔｅｘｔ）を送信し、ＳＭＦがＡＭＦにメッセージを伝送し（Ｎａｍｆ＿Ｃｏｍｍｕｎｉｃａｔｉｏｎ＿Ｎ１Ｎ２  Ｍｅｓｓａｇｅ  Ｔｒａｎｓｆｅｒ）、前記メッセージで第１遅延情報を搬送する。
【０１１３】
ステップ２０４において、ＡＭＦがアクセスネットワークにＮ２セッション要求（Ｎ２  ＰＤＵ  Ｓｅｓｓｉｏｎ  Ｒｅｑｕｅｓｔ）を送信し、前記要求で第１遅延情報を搬送し、アクセスネットワークが、前記第１遅延メッセージおよびＱｏＳパラメータのＰＤＢに基づいて第２遅延情報を決定する。
【０１１４】
ステップ２０５において、アクセスネットワークがＵＥにリソース変更メッセージ（ＡＮ−ｓｐｅｃｉｆｉｃ  ｒｅｓｏｕｒｃｅ  ｍｏｄｉｆｉｃａｔｉｏｎ）を送信し、前記メッセージで第２遅延情報を搬送する。
【０１１５】
ステップ２０６において、アクセスネットワークがＡＭＦにＮ２セッション応答（Ｎ２  Ｓｅｓｓｉｏｎ  Ｒｅｓｐｏｎｓｅ）を送信する。
【０１１６】
ステップ２０７ａ〜ｂにおいて、ＡＭＦがＳＭＦにＰＤＵセッション更新ＳＭコンテキスト要求（Ｎｓｍｆ＿ＰＤＵ  Ｓｅｓｓｉｏｎ＿Ｕｐｄａｔｅ  ＳＭＣｏｎｔｅｘｔ  Ｒｅｑｕｅｓｔ）を送信し、ＳＭＦがＡＭＦにＰＤＵセッション更新ＳＭコンテキスト応答（Ｎｓｍｆ＿ＰＤＵ  Ｓｅｓｓｉｏｎ＿Ｕｐｄａｔｅ  ＳＭＣｏｎｔｅｘｔ  Ｒｅｓｐｏｎｓｅ）を送信する。
【０１１７】
ステップ２０８ａ〜ｂにおいて、ＳＭＦがＵＰＦにＮ４セッション変更要求（Ｎ４Ｓｅｓｓｉｏｎ  Ｍｏｄｉｆｉｃａｔｉｏｎ  Ｒｅｑｕｅｓｔ）を送信し、ＵＰＦがＳＭＦにＮ４セッション変更応答（Ｎ４Ｓｅｓｓｉｏｎ  Ｍｏｄｉｆｉｃａｔｉｏｎ  Ｒｅｓｐｏｎｓｅ）を送信する。
【０１１８】
ステップ２０９において、ＵＥがアクセスネットワークにＰＤＵセッション変更コマンド確認メッセージ（ＰＤＵ  Ｓｅｓｓｉｏｎ  Ｍｏｄｉｆｉｃａｔｉｏｎ  Ｃｏｍｍａｎｄ  Ａｃｋ）を送信する。
【０１１９】
ステップ２１０において、アクセスネットワークが、ＡＭＦへのＮ２  ＮＡＳアップリンク伝送（Ｎ２  ＮＡＳ  ｕｐｌｉｎｋ  ｔｒａｎｓｆｅｒ）を実行する。
【０１２０】
ステップ２１１ａ〜ｂにおいて、ＡＭＦがＳＭＦにＰＤＵセッション更新ＳＭコンテキスト要求（Ｎｓｍｆ＿ＰＤＵ  Ｓｅｓｓｉｏｎ＿Ｕｐｄａｔｅ  ＳＭＣｏｎｔｅｘｔ  Ｒｅｑｕｅｓｔ）を送信し、ＳＭＦがＡＭＦにＰＤＵセッション更新ＳＭコンテキスト応答（Ｎｓｍｆ＿ＰＤＵ  Ｓｅｓｓｉｏｎ＿Ｕｐｄａｔｅ  ＳＭＣｏｎｔｅｘｔ  Ｒｅｓｐｏｎｓｅ）を送信する。
【０１２１】
ステップ２１２ａ〜ｂにおいて、ＳＭＦがＵＰＦにセッション変更要求（Ｓｅｓｓｉｏｎ  Ｍｏｄｉｆｉｃａｔｉｏｎ  Ｒｅｑｕｅｓｔ）を送信し、ＵＰＦがＳＭＦにセッション変更応答（Ｓｅｓｓｉｏｎ  Ｍｏｄｉｆｉｃａｔｉｏｎ  Ｒｅｓｐｏｎｓｅ）を送信する。
【０１２２】
ステップ２１３において、ＳＭＦが、ＳＭＦによって開始されるＳＭポリシーアソシエーションの変更（ＳＭＦ  ｉｎｉｔｉａｔｅｄ  ＳＭ  Ｐｏｌｉｃｙ  Ａｓｓｏｃｉａｔｉｏｎ  Ｍｏｄｉｆｉｃａｔｉｏｎ）を開始する。
【０１２３】
図５ｃは、本出願の実施例によるデータ伝送御方法が、例えば、登録更新プロセス、アイドル状態（ＩＤＬＥ状態）での端末機器のＥＰＳから５ＧＳへの移行などの端末機器の登録プロセスに適用されることを示し、この例では、更新前（またはハンドオーバの前、または移行の前）の古いＡＭＦ（ＯＬＤ  ＡＭＦ）、および更新後（またはハンドオーバの後、または移行の後）の新しいＡＭＦ（ＮＥＷ  ＡＭＦ）を含むことができる。図５ｃに示されるように、前記プロセスは以下のステップを含む。
【０１２４】
ステップ３０１において、ＵＥがアクセスネットワークへの登録要求（Ｒｅｇｉｓｔｒａｔｉｏｎ  Ｒｅｑｕｅｓｔ）を開始する。
【０１２５】
ステップ３０２において、アクセスネットワークがＡＭＦ選択（ＡＭＦ  ｓｅｌｅｃｔｉｏｎ）を実行する。
【０１２６】
ステップ３０３において、アクセスネットワークが新しいＡＭＦへの登録要求（Ｒｅｇｉｓｔｒａｔｉｏｎ  Ｒｅｑｕｅｓｔ）を開始する。
【０１２７】
ステップ３０４〜ステップ３０５において、新しいＡＭＦが古いＡＭＦへのコンテキスト伝送（Ｎｓｍｆ＿Ｃｏｍｍｕｎｉｃａｔｉｏｎ＿ＵＥ  ＣｏｎｔｅｘｔＴｒａｎｓｆｅｒ）を実行し、古いＡＭＦが新しいＡＭＦにコンテキスト伝送応答（Ｎｓｍｆ＿Ｃｏｍｍｕｎｉｃａｔｉｏｎ＿ＵＥ  ＣｏｎｔｅｘｔＴｒａｎｓｆｅｒ  Ｒｅｓｐｏｎｓｅ）を送信する。
【０１２８】
ステップ３０６〜ステップ３０７において、新しいＡＭＦがＵＥに識別要求（Ｉｄｅｎｔｉｔｙ  Ｒｅｑｕｅｓｔ）を送信し、ＵＥが新しいＡＭＦに識別応答（Ｉｄｅｎｔｉｔｙ  Ｒｅｓｐｏｎｓｅ）を送信する。
【０１２９】
ステップ３０８において、新しいＡＭＦがＡＵＳＦ選択（ＡＵＳＦ  ｓｅｌｅｃｔｉｏｎ）を実行する。
【０１３０】
ステップ３０９において、認証／セキュリティ（Ａｕｔｈｅｎｔｉｃａｔｉｏｎ／Ｓｅｃｕｒｉｔｙ）プロセスを実行する。
【０１３１】
ステップ３１０において、新しいＡＭＦと古いＡＭＦの間で登録完了通知（Ｎｓｍｆ＿Ｃｏｍｍｕｎｉｃａｔｉｏｎ＿ＲｅｇｉｓｔｒａｔｉｏｎＣｏｍｐｌｅｔｅＮｏｔｉｆｙ）を伝送する。
【０１３２】
ステップ３１１において、ＵＥと新しいＡＭＦの間で識別要求および識別応答（Ｉｄｅｎｔｉｔｙ  Ｒｅｑｕｅｓｔ／Ｒｅｓｐｏｎｓｅ）を伝送する。
【０１３３】
ステップ３１２において、新しいＡＭＦとＥＩＲの間で機器の識別子検査（Ｎ５ｇ−ＥＩＲ＿Ｅｑｕｉｐｍｅｎｔ  ＩｄｅｎｔｉｔｙＣｈｅｃｋ＿Ｇｅｔ）を伝送する。
【０１３４】
ステップ３１３において、新しいＡＭＦがＵＤＭ選択（ＵＤＭ  ｓｅｌｅｃｔｉｏｎ）を実行する。
【０１３５】
ステップ３１４において、新しいＡＭＦとＵＤＭの間で登録（Ｎｕｄｍ＿ＵＥＣＭ＿Ｒｅｇｉｓｔｒａｔｉｏｎ）プロセス、取得（Ｎｕｄｍ＿ＳＤＭ＿Ｇｅｔ）プロセス、サブスクリプション（Ｎｕｄｍ＿ＳＤＭ＿Ｓｕｂｓｃｒｉｂｅ）プロセス、登録解除（Ｎｕｄｍ＿ＵＣＭ＿ＤｅｒｅｇｉｓｔｒａｔｉｏｎＮｏｔｉｆｙ）プロセス、およびサブスクリプション解除（Ｎｕｄｍ＿ＳＤＭ＿Ｕｎｓｕｂｓｃｒｉｂｅ）プルセスなどを実行する。
【０１３６】
ステップ３１５において、新しいＡＭＦがＰＣＦ選択（ＰＣＦ  ｓｅｌｅｃｔｉｏｎ）を実行する。
【０１３７】
ステップ３１６において、新しいＡＭＦが、ＰＣＦへの登録プロセスにおけるポリシーアソシエーションの確立（ＡＭ  Ｐｏｌｉｃｙ  Ａｓｓｏｃｉａｔｉｏｎ  Ｅｓｔａｂｌｉｓｈｍｅｎｔ  ｄｕｒｉｎｇ  Ｒｅｇｉｓｔｒａｔｉｏｎ）を実行する。
【０１３８】
ステップ３１７において、ＳＭＦと新しいＡＭＦの間でＰＤＵセッション更新ＳＭコンテキスト（Ｎｓｍｆ＿ＰＤＵ  Ｓｅｓｓｉｏｎ＿Ｕｐｄａｔｅ  ＳＭＣｏｎｔｅｘｔ）、およびＰＤＵセッション解放ＳＭコンテキスト（Ｎｓｍｆ＿ＰＤＵ  Ｓｅｓｓｉｏｎ＿Ｒｅｌｅａｓｅ  ＳＭＣｏｎｔｅｘｔ）を伝送し、ここで、ＳＭＦから新しいＡＭＦに送信されるメッセージで第１遅延情報を搬送する。
【０１３９】
ステップ３１８〜ステップ３１９において、新しいＡＭＦがＮ３ＩＷＦにＮ２  ＡＭＦ変更要求（Ｎ２  ＡＭＦ  Ｍｏｂｉｌｉｔｙ  Ｒｅｑｕｅｓｔ）を送信し、Ｎ３ＩＷＦが新しいＡＭＦにＮ２  ＡＭＦ変更応答（Ｎ２  ＡＭＦ  Ｍｏｂｉｌｉｔｙ  Ｒｅｓｐｏｎｓｅ）を送信する。
【０１４０】
ステップ３２０において、ＰＣＦと旧ＡＭＦの間で、ＡＭＦによって開始されるＡＭポリシーアソシエーションの終了（ＡＭＦ−Ｉｎｉｔｉａｔｅｄ  ＡＭ  Ｐｏｌｉｃｙ  Ａｓｓｏｃｉａｔｉｏｎ  Ｔｅｒｍｉｎａｔｉｏｎ）を伝送する。
【０１４１】
ステップ３２１〜ステップ３２２において、新しいＡＭＦがＵＥに登録受付（Ｒｅｇｉｓｔｒａｔｉｏｎ  Ａｃｃｅｐｔ）を送信し、ＵＥが新しいＡＭＦに登録完了（Ｒｅｇｉｓｔｒａｔｉｏｎ  Ｃｏｍｐｌｅｔｅ）を送信する。
【０１４２】
本出願の実施例は、コアネットワーク機器をさらに提供し、前記コアネットワーク機器は、第１コアネットワーク機器として機能する。図６は、本出願の実施例によるコアネットワーク機器の例示的なブロック図であり、図６に示されるように、前記コアネットワーク機器は、第１遅延情報を第１アクセスネットワーク機器に送信するように構成される第１通信ユニット４１であって、前記第１遅延情報は、第１パスでのデータ伝送の遅延を示し、前記第１パスは、第２コアネットワーク機器と前記第１アクセスネットワーク機器との間のユーザプレーンデータパスである第１通信ユニット４１を備える。
【０１４３】
本出願の一可能な実施例において、前記第１遅延情報は、前記第１パスでのデータ伝送の第１アップリンク遅延情報および／または第１ダウンリンク遅延情報を含む。
【０１４４】
例示的に、前記第１通信ユニット４１は、前記第１アップリンク遅延情報と前記第１ダウンリンク遅延情報が同じである場合、１つの遅延情報を第１アクセスネットワーク機器に送信するように構成され、前記１つの遅延情報は、前記第１パスでのデータ伝送のアップリンク伝送遅延およびダウンリンク伝送遅延を示す。
【０１４５】
本出願の一可能な実施例において、図７に示されるように、前記コアネットワーク機器は、前記第１通信ユニット４１が第１遅延情報を第１アクセスネットワーク機器に送信する前に、前記第１遅延情報を決定するように構成される第１処理ユニット４２であって、前記第１遅延情報は、前記第２コアネットワーク機器の位置情報、前記第１アクセスネットワーク機器の位置情報、前記第１アクセスネットワーク機器に対応する登録エリア識別子、前記第１パスのネットワーク状態、前記第１パスで伝送されるデータがアップリンクデータであるかダウンリンクデータであるか、前記第１パス伝送的データに対応するネットワークスライス識別子および／またはＤＮＮ、前記第１パスに中間第２コアネットワーク機器があるか否か、および署名ポリシのうちの少なくとも１つの情報に従って決定される第１処理ユニット４２をさらに備える。例示的に、前記第２コアネットワーク機器の位置情報は、前記第２コアネットワーク機器の識別子および／またはＤＮＡＩに基づいて決定され、前記第１アクセスネットワーク機器の位置情報は、前記第１アクセスネットワーク機器の識別子および／または前記第１アクセスネットワーク機器が属するトラッキングエリア識別子または登録エリア識別子に基づいて決定される。
【０１４６】
本出願の一可能な実施例において、前記第１通信ユニット４１は、ＰＤＵセッション確立プロセスにおける第１メッセージによって第１遅延情報を第１アクセスネットワーク機器に送信すること、ＰＤＵセッション変更プロセスにおける第２メッセージによって第１遅延情報を第１アクセスネットワークに送信すること、端末機器のネットワーク登録プロセスにおける第３メッセージによって第１遅延情報を第１アクセスネットワークに送信すること、端末機器がアクセスするアクセスネットワーク機器のハンドオーバプロセスにおける第４メッセージによって第１遅延情報を第１アクセスネットワークに送信することのうちの少なくとも１つの方式で第１遅延情報を第１アクセスネットワーク機器に送信するように構成される。
【０１４７】
本出願の一可能な実施例において、前記第１通信ユニット４１は、第３コアネットワーク機器によって第１遅延情報を第１アクセスネットワーク機器に送信するように構成される。
【０１４８】
本出願の一可能な実施例において、前記第１処理ユニット４２は、さらに、前記第１遅延情報に従って第２コアネットワーク機器を選択するように構成される。
【０１４９】
本出願の一可能な実施例において、前記第１処理ユニット４２は、前記第１遅延情報に従って、選択される第２コアネットワーク機器の位置情報を決定し、前記選択される第２コアネットワーク機器の位置情報に従って第２コアネットワーク機器を選択するように構成される。
【０１５０】
本出願の一可能な実施例において、前記選択される第２コアネットワークの位置情報は、ＤＮＡＩおよび／または第２コアネットワーク機器の識別子に基づいて決定される。
【０１５１】
本出願の一可能な実施例において、前記第１遅延情報は、遅延情報および第２遅延情報に基づいて決定され、前記第２遅延情報は、前記第１アクセスネットワーク機器と前記端末機器との間でのデータ伝送の遅延を示し、前記遅延情報は、前記第２コアネットワーク機器と端末機器との間でのデータ伝送の遅延を示す。
【０１５２】
本出願の一可能な実施例において、前記遅延情報は、前記第２コアネットワーク機器と端末機器との間でのデータ伝送のアップリンク遅延情報および／またはダウンリンク遅延情報を含み、および／または、
前記第２遅延情報は、前記第１アクセスネットワーク機器と前記端末機器との間でのデータ伝送の第２アップリンク遅延情報および／または第２ダウンリンク遅延情報を含む。
【０１５３】
本出願の一可能な実施例において、前記第１通信ユニット４１は、さらに、前記第１アクセスネットワーク機器からの前記第２遅延情報を取得するように構成される。
【０１５４】
本出願の実施例は、アクセスネットワーク機器をさらに提供する。図８は、本出願の実施例によるアクセスネットワーク機器の例示的なブロック図であり、図８に示されるように、前記アクセスネットワーク機器は、第２通信ユニット５１と、第２処理ユニット５２と、を備える。
【０１５５】
前記第２通信ユニット５１は、第１コアネットワーク機器からの第１遅延情報を受信するように構成され、前記第１遅延情報は、第１パスでのデータ伝送の遅延情報を含み、前記第１パスは、第２コアネットワーク機器と前記第１アクセスネットワーク機器との間のユーザプレーンデータパスである、
前記第２処理ユニット５２は、前記第１パスでのデータフローに対応する遅延情報および前記第２通信ユニット５１によって受信された前記第１遅延情報に従って、第２遅延情報を決定するように構成され、前記遅延情報は、前記第２コアネットワーク機器と端末機器との間でのデータ伝送の遅延を示し、前記第２遅延情報は、前記第１アクセスネットワーク機器と前記端末機器との間でのデータ伝送の遅延を示す。
【０１５６】
本出願の一可能な実施例において、前記第１遅延情報は、前記第１パスでのデータ伝送の第１アップリンク遅延情報および／または第１ダウンリンク遅延情報を含む。
【０１５７】
例示的に、前記第２通信ユニット５１は、前記第１アップリンク遅延情報と前記第１ダウンリンク遅延情報が同じである場合、第１コアネットワーク機器からの１つの遅延情報を受信するように構成され、前記１つの遅延情報は、前記第１パスでのデータ伝送のアップリンク伝送遅延およびダウンリンク伝送遅延を示す。
【０１５８】
本出願の一可能な実施例において、前記遅延情報は、前記第２コアネットワーク機器と端末機器との間でのデータ伝送のアップリンク遅延情報および／またはダウンリンク遅延情報を含み、および／または、前記第２遅延情報は、前記第１アクセスネットワーク機器と前記端末機器との間でのデータ伝送の第２アップリンク遅延情報および／または第２ダウンリンク遅延情報を含む。
【０１５９】
本出願の一可能な実施例において、前記第２通信ユニット５１は、さらに、前記第２遅延情報を前記端末機器に送信し、または、前記第２アップリンク遅延情報を前記端末機器に送信するように構成される。
【０１６０】
本出願の一可能な実施例において、前記第２処理ユニット５２は、さらに、前記第２遅延情報に従ってスケジューリングポリシを決定するように構成され、
前記第２通信ユニット５１は、さらに、前記第２処理ユニット５２によって決定された前記スケジューリングポリシを前記端末機器に送信するように構成される。ここで、前記スケジューリングポリシは、前記端末機器が特定の時点および／または時間間隔でアップリンクデータおよび／またはダウンリンクデータを伝送するようにするために使用され、前記時点は、特定の無線フレームのサブフレームシンボルに基づいて定義されることができる。
【０１６１】
本出願の一可能な実施例において、前記第１遅延情報は、前記遅延情報および前記第２遅延情報に基づいて決定される。
【０１６２】
本出願の一可能な実施例において、前記第２通信ユニット５１は、さらに、前記第２遅延情報を前記第１コアネットワーク機器に送信するように構成される。
【０１６３】
本出願の実施例は、機器選択方法をさらに提供し、前記機器選択方法は以下のステップを含む。
【０１６４】
ステップＳ３１において、第１コアネットワーク機器が、第３遅延情報に従って第２コアネットワーク機器を選択し、前記第３遅延情報は、第２パスでのデータ伝送の遅延を示し、前記第２パスは、第２コアネットワーク機器と第１アクセスネットワーク機器との間のユーザプレーンデータパスであり、または、前記第２パスは、第２コアネットワーク機器と端末機器との間のユーザプレーンデータパスである。
【０１６５】
本実施例において、第１コアネットワーク機器は、コアネットワークにおける任意の機器であり得、一実施形態として、第１コアネットワーク機器は、ＳＭＦエンティティであり得る。第１アクセスネットワーク機器は、アクセスネットワークにおける任意の機器であり得、一実施形態として、第１アクセスネットワーク機器は、５ＧシステムまたはＮＲシステムにおけるｇＮＢなどの基地局であり得る。
【０１６６】
第３遅延情報は、第２パスでの伝送遅延を示し、前記第２パスは、第２コアネットワーク機器と第１アクセスネットワーク機器との間のユーザプレーンデータパス、または、第２コアネットワーク機器と端末機器との間のユーザプレーンデータパスであり得る。一実施形態として、第２コアネットワーク機器は、ＵＰＦエンティティであり得、この場合、第２パスは、ＵＰＦエンティティと基地局との間のデータ伝送パス、またはＵＰＦエンティティと端末機器（即ち、端末）との間のデータ伝送パスであり得る。
【０１６７】
本実施例において、前記第３遅延情報は、第２パスでのデータ伝送の第３アップリンク遅延情報および／または第３ダウンリンク遅延情報を含む。
【０１６８】
本出願の一可能な実施例において、前記第１コアネットワーク機器が、前記第３遅延情報に従って第２コアネットワーク機器を選択することは、前記第１コアネットワーク機器が、前記第３遅延情報に従って、選択される第２コアネットワーク機器の位置情報を決定し、前記選択される第２コアネットワーク機器の位置情報に従って第２コアネットワーク機器を選択することを含む。
【０１６９】
具体的には、図３に示される例示的なアーキテクチャを参照することができ、（無線）アクセスネットワーク（（Ｒ）ＡＮ）に接続されるＵＰＦは複数であり得、図では、２つだけを例に挙げて示し、異なるＵＰＦの位置は異なり、つまり、（無線）アクセスネットワークとのパスが異なれば、（無線）アクセスネットワークとのパスの距離も異なり、各ＵＰＦが接続しているＤＮも異なる。第１遅延情報に基づいてＵＰＦの位置範囲を決定でき、つまり、少なくとも１つのＵＰＦを決定した後に、決定された少なくとも１つのＵＰＦから１つのＵＰＦを選択し、例えば、決定された少なくとも１つのＵＰＦから、基地局に最も近いＵＰＦを選択することができる。
【０１７０】
本出願の一可能な実施例において、前記選択される第２コアネットワークの位置情報は、ＤＮＡＩおよび／または第２コアネットワーク機器の識別子に基づいて決定される。
【０１７１】
例えば、表１に示す例を参照すると、表１の第１遅延情報が本実施例における第３遅延情報であると仮定し、第３遅延情報および第１アクセスネットワーク機器の位置が既知である（即ち、ＴＡＩ既知である）場合、少なくとも１つの第２コアネットワーク機器に対応するＤＮＡＩを決定することができ、決定された少なくとも１つの第２コアネットワーク機器に対応するＤＮＡＩから１つのＤＮＡＩを選択し、選択されたＤＮＡＩを第２コアネットワーク機器として使用する。
【０１７２】
本出願の一可能な実施例において、前記第３遅延情報は、第２遅延情報に基づいて決定され、前記第２遅延情報は、前記第１アクセスネットワーク機器と前記端末機器との間でのデータ伝送の遅延を示す。例示的に、前記第２遅延情報は、前記第１アクセスネットワーク機器と前記端末機器との間でのデータ伝送の第２アップリンク遅延情報および／または第２ダウンリンク遅延情報を含む。本実施例において、第３遅延情報は、遅延情報および第２遅延情報に基づいて決定され、前記遅延情報は、具体的には、ＱｏＳパラメータのＰＤＢであり得、第２遅延情報は、エアインターフェースの遅延を示し、実際の応用では、ＰＤＢから第２遅延情報を差し引くことによって第３遅延情報を取得することができる。
【０１７３】
本出願の一可能な実施例において、前記第２遅延情報は、前記第１コアネットワーク機器によって前記第１アクセスネットワーク機器から取得され、一例として、第１アクセスネットワーク機器は、前記第２遅延情報を推定し、推定された前記第２遅延情報を前記第１コアネットワーク機器に送信する。
【０１７４】
本出願の一可能な実施例において、第１コアネットワーク機器は、第３遅延情報に基づいて第２コアネットワーク機器を選択し、つまり、第３遅延情報に基づいてＵＰＦエンティティを選択する。一例として、第１コアネットワーク機器は、第３遅延情報で示される遅延の長さに従って、選択可能な第２コアネットワーク機器のエリア範囲、選択可能な第２コアネットワーク機器に対応するパスのネットワーク状態、選択可能な第２コアネットワーク機器に対応するパスが、中間第２コアネットワーク機器の存在をサポートするか否か、選択可能な第２コアネットワーク機器に対応するパスで伝送されるデータに対応するネットワークスライス識別子および／またはＤＮＮ、選択可能な第２コアネットワーク機器に対応するパスで伝送されるデータが、アップリンクデータであるかダウンリンクデータであるかのうちの少なくとも１つの情報を決定することができ、上記の情報に基づいて第２コアネットワーク機器を選択する。
【０１７５】
例えば、第３遅延情報で示される遅延が比較的短い場合、選択可能な第２コアネットワーク機器の位置が第１アクセスネットワーク機器に近いと判断でき、または選択可能な第２コアネットワーク機器に対応するパスの輻輳状態が比較的弱い（即ち、ネットワーク状態が比較的アイドルである）と判断でき、または選択可能な第２コアネットワーク機器に対応するパスが、中間第２コアネットワーク機器の存在をサポートしないと判断でき、または選択可能な第２コアネットワーク機器に対応するパスで伝送されるデータに対応するネットワークスライス識別子および／またはＤＮＮで示される伝送中のデータが、低遅延要件のデータであると判断でき、または選択可能な第２コアネットワーク機器に対応するパスで伝送されるデータがアップリンクデータであると判断できる。
【０１７６】
具体的には、図３に示される例示的なアーキテクチャを参照することができ、（無線）アクセスネットワーク（（Ｒ）ＡＮ）に接続されるＵＰＦは複数であり得、図では、２つだけを例に挙げて示し、異なるＵＰＦの位置は異なり、つまり、（無線）アクセスネットワークとのパスが異なれば、（無線）アクセスネットワークとのパスの距離も異なり、各ＵＰＦが接続しているＤＮも異なる。第３遅延情報に基づいてＵＰＦの範囲を決定でき、つまり、少なくとも１つのＵＰＦを決定した後に、決定された少なくとも１つのＵＰＦから１つのＵＰＦを選択し、例えば、決定された少なくとも１つのＵＰＦから、基地局に最も近いＵＰＦを選択することができる。
【０１７７】
本出願の一可能な実施例において、前記第１コアネットワーク機器が、第３遅延情報に従って第２コアネットワーク機器を選択する前に、前記機器選択方法は、前記第１コアネットワーク機器が、署名情報に従って前記第３遅延情報を決定することであって、前記第１コアネットワーク機器が前記署名情報をプリセットし、または、前記第１コアネットワーク機器が他のコアネットワーク機器から前記署名情報取得することをさらに含む。
【０１７８】
署名情報に基づいて決定された前記第３遅延情報は、第２パスでの許容データ伝送遅延を示し、つまり、第２コアネットワーク機器と第１アクセスネットワーク機器との間での許容データ伝送遅延、または、第２コアネットワーク機器と端末機器との間での許容データ伝送遅延を示す。
【０１７９】
本出願の実施例は、コアネットワーク機器をさらに提供し、前記コアネットワーク機器は第１コアネットワーク機器であり、前記コアネットワーク機器は、第３遅延情報に従って第２コアネットワーク機器を選択するように構成される選択ユニットであって、前記第３遅延情報は、第２パスでのデータ伝送の遅延を示し、前記第２パスは、第２コアネットワーク機器と第１アクセスネットワーク機器との間のユーザプレーンデータパスであり、または、前記第２パスは、第２コアネットワーク機器と端末機器との間のユーザプレーンデータパスである選択ユニットを備える。
【０１８０】
本実施例において、前記第３遅延情報は、第２パスでのデータ伝送の第３アップリンク遅延情報および／または第３ダウンリンク遅延情報を含む。
【０１８１】
本出願の一可能な実施例において、前記コアネットワーク機器は、前記選択ユニットが第３遅延情報に従って第２コアネットワーク機器を選択する前に、署名情報に従って前記第３遅延情報を決定するように構成される決定ユニットをさらに備える。
【０１８２】
本出願の一可能な実施例において、前記選択ユニットは、前記第３遅延情報に従って、選択される第２コアネットワーク機器の位置情報を決定し、前記選択される第２コアネットワーク機器の位置情報に従って第２コアネットワーク機器を選択するように構成される。
【０１８３】
本出願の一可能な実施例において、前記選択される第２コアネットワークの位置情報は、ＤＮＡＩおよび／または第２コアネットワーク機器の識別子に基づいて決定される。
【０１８４】
本出願の一可能な実施例において、前記第３遅延情報は、第２遅延情報に基づいて決定され、前記第２遅延情報は、前記第１アクセスネットワーク機器と前記端末機器との間でのデータ伝送の遅延を示す。
【０１８５】
例示的に、前記第２遅延情報は、前記第１アクセスネットワーク機器と前記端末機器との間でのデータ伝送の第２アップリンク遅延情報および／または第２ダウンリンク遅延情報を含む。
【０１８６】
本出願の一可能な実施例において、前記コアネットワーク機器は、前記第１アクセスネットワーク機器から前記第２遅延情報を取得するように構成される第３通信ユニットをさらに備える。
【０１８７】
図９は、本出願の実施例による通信機器のハードウェア構造の概略図である。図９に示す通信機器６００は、プロセッサ６１０を備え、プロセッサ６１０は、メモリからコンピュータプログラムを呼び出して実行して、本出願の実施例における方法を実現することができる。
【０１８８】
例示的に、図９に示されるように、通信機器６００は、メモリ６２０をさらに備えることができる。ここで、プロセッサ６１０は、メモリ６２０からコンピュータプログラムを呼び出して実行して、本出願の実施例における方法を実現することができる。ここで、メモリ６２０は、プロセッサ６１０から独立した１つの独立的なデバイスであってもよく、またはプロセッサ６１０に統合されたものであってもよい。
【０１８９】
例示的に、図９に示されるように、通信機器６００は、トランシーバ６３０をさらに備えることができ、プロセッサ６１０は、他の機器と通信するように前記トランシーバ６３０を制御することができ、具体的には、他の機器に情報またはデータを送信でき、または他の機器によって送信される情報またはデータを受信することができる。ここで、トランシーバ６３０は、送信機および受信機を備えることができる。トランシーバ６３０は、アンテナをさらに備えることができ、アンテナの数は１つまたは複数であり得る。
【０１９０】
例示的に、前記通信機器６００は、具体的に、本出願の実施例におけるコアネットワーク機器であってもよく、前記通信機器６００は、本出願の実施例による各データ伝送制御方法または機器選択方法において、コアネットワーク機器によって実現される対応するプロセスを実現することができ、簡潔にするために、ここでは再び説明しない。例示的に、前記通信機器６００は、具体的に、本出願の実施例におけるアクセスネットワーク機器であってもよく、前記通信機器６００は、本出願の実施例による各方法においてアクセスネットワーク機器によって実現される対応するプロセスを実現することができ、簡潔にするために、ここでは再び説明しない。
【０１９１】
図１０は、本出願の実施例によるチップの例示的な構造図である。図１０に示すチップ７００は、プロセッサ７１０を備え、プロセッサ７１０は、メモリからコンピュータプログラムを呼び出して実行して、本出願の実施例における方法を実現することができる。
【０１９２】
例示的に、図１０に示されたように、チップ７００は、メモリ７２０をさらに備えることができる。ここで、プロセッサ７１０は、メモリ７２０からコンピュータプログラムを呼び出して実行して、本出願の実施例における方法を実現することができる。ここで、メモリ７２０は、プロセッサ７１０から独立した１つの独立的なデバイスであってもよく、またはプロセッサ７１０に統合されたものであってもよい。
【０１９３】
例示的に、前記チップ７００は、入力インターフェース７３０をさらに備えることができる。ここで、プロセッサ７１０は、他の機器またはチップと通信するように前記入力インターフェース７３０を制御することができ、具体的には、他の機器またはチップによって送信される情報またはデータを取得することができる。
【０１９４】
例示的に、前記チップ７００は、出力インターフェース７４０をさらに備えることができる。ここで、プロセッサ７１０は、他の機器またはチップと通信するように前記出力インターフェース７４０を制御することができ、具体的には、情報またはデータを他の機器またはチップに出力することができる。
【０１９５】
例示的に、前記チップは、本出願の実施例におけるコアネットワーク機器に適用されることができ、前記チップは、本出願の実施例による各データ伝送制御方法または機器選択方法において、コアネットワーク機器によって実現される対応するプロセスを実現することができ、簡潔にするために、ここでは再び説明しない。例示的に、前記チップは、本出願の実施例におけるアクセスネットワーク機器に適用されることができ、前記チップは、本出願の実施例による各方法において、アクセスネットワーク機器によって実現される対応するプロセスを実現することができ、簡潔にするために、ここでは再び説明しない。本出願の実施例で言及されるチップは、システムレベルのチップ、システムチップ、チップシステム、またはシステムオンチップなどと呼ばれることもできることを理解されたい。
【０１９６】
本出願の実施例におけるプロセッサは、信号の処理能力を備えた集積回路チップであり得ることを理解されたい。実現プロセスにおいて、上記の方法の実施例における各ステップは、プロセッサ内のハードウェアの集積論理回路またはソフトウェアの形の命令によって完了することができる。上記のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）または他のプログラマブルロジックデバイス、ディスクリートゲートまたはトランジスタロジックデバイス、ディスクリートハードウェアコンポーネントなどであってもよく、本出願の実施例で開示された各方法、ステップ、および論理ブロック図を実現または実行することができる。汎用プロセッサはマイクロプロセッサであってもよく、または前記プロセッサは任意の従来のプロセッサなどであってもよい。本出願の実施例で開示された方法のステップは、ハードウェア復号化プロセッサによって実行されて完了されること、または復号化プロセッサ内のハードウェアおよびソフトウェアモジュールの組み合わせによって実行されて完了されることにより直接具現化されることができる。ソフトウェアモジュールは、ランダムメモリ、フラッシュメモリ、読み取り専用メモリ、プログラマブル読み取り専用メモリまたは電気的に消去可能なプログラマブルメモリ、レジスタなどの本分野の従来の記憶媒体に配置されることができる。前記記憶媒体はメモリに配置され、プロセッサはメモリ内の情報を読み取り、そのハードウェアとともに前記方法のステップを完了する。
【０１９７】
本出願の実施例におけるメモリは、揮発性メモリまたは不揮発性メモリであってもよく、または揮発性および不揮発性メモリの両方を含んでもよいことを理解されたい。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない例示によれば、前記ＲＡＭは、例えば、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）など、多くの形のＲＡＭを含むことができる。本明細書で説明されるシステムおよび方法のメモリは、これらおよび任意の他の適切なタイプのメモリを含むことが、これらに限定されないことを意図することを留意されたい。
【０１９８】
上記のメモリは、例示的なものに過ぎず、例えば、本出願の実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）等であってもよいことを理解されたい。つまり、本出願の実施例のメモリは、これらおよび任意の他の適切なタイプのメモリを含むが、これらに限定されないことを意味する。
【０１９９】
本出願の実施例は、コンピュータプログラムを記憶するために使用されるコンピュータ可読記憶媒体をさらに提供する。
【０２００】
例示的に、前記コンピュータ可読記憶媒体は、本出願の実施例におけるコアネットワーク機器に適用され、前記コンピュータプログラムは、本出願の実施例による各データ伝送制御方法または機器選択方法においてコアネットワーク機器によって実現される対応するプロセスをコンピュータに実行させ、簡潔にするために、ここでは再び説明しない。例示的に、前記コンピュータ可読記憶媒体は、本出願の実施例におけるアクセスネットワーク機器に適用されることができ、前記コンピュータプログラムは、本出願の実施例よる各方法においてアクセスネットワーク機器によって実現される対応するプロセスをコンピュータに実行させ、簡潔にするために、ここでは再び説明しない。
【０２０１】
本出願の実施例は、コンピュータプログラム命令を含むコンピュータプログラム製品をさらに提供する。
【０２０２】
例示的に、前記コンピュータプログラム製品は、本出願の実施例におけるコアネットワーク機器に適用され、前記コンピュータプログラム命令は、本出願の実施例による各データ伝送制御方法または機器選択方法においてコアネットワーク機器によって実現される対応するプロセスをコンピュータに実行させ、簡潔にするために、ここでは再び説明しない。例示的に、前記コンピュータプログラム製品は、本出願の実施例におけるアクセスネットワーク機器に適用され、前記コンピュータプログラム命令は、本出願の実施例による各方法においてアクセスネットワーク機器によって実現される対応するプロセスをコンピュータに実行させ、簡潔にするために、ここでは再び説明しない。
【０２０３】
本出願の実施例は、コンピュータプログラムをさらに提供する。
【０２０４】
例示的に、前記コンピュータプログラムは、本出願の実施例におけるコアネットワーク機器に適用されることができ、前記コンピュータプログラムがコンピュータで実行されるときに、本出願の実施例による各データ伝送制御方法または機器選択方法においてコアネットワーク機器によって実現される対応するプロセスをコンピュータに実行させ、簡潔にするために、ここでは再び説明しない。例示的に、前記コンピュータプログラムは、本出願の実施例におけるアクセスネットワーク機器に適用されることができ、前記コンピュータプログラムがコンピュータで実行されるときに、本出願の実施例による各方法においてアクセスネットワーク機器によって実現される対応するプロセスをコンピュータに実行させ、簡潔にするために、ここでは再び説明しない。
【０２０５】
当業者なら自明であるが、本明細書で開示される実施例と組み合わせて説明された各例示のユニットおよびアルゴリズムステップは、電子ハードウェア、またはコンピュータソフトウェアと電子ハードウェアの組み合わせによって実現することができる。これらの機能がハードウェアの形で実行されるかソフトウェアの形で実行されるかは、技術的解決策の特定の用途および設計上の制約条件に依存する。専門技術者は、各特定の用途に応じて異なる方法を使用して説明された機能を実現することができるが、このような実現は本出願の範囲を超えると見なされるべきではない。
【０２０６】
当業者なら明確に理解できるが、説明の便宜および簡潔のために、上記に説明されたシステム、装置およびユニットの具体的な作業プロセスは、前述の方法の実施例における対応するプロセスを参照することができ、ここでは繰り返さない。
【０２０７】
本出願で提供されるいくつかの実施例では、開示されたシステム、装置および方法は、他の方式で実現されることができることを理解されたい。例えば、上記で説明された装置の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。加えて、表示または議論された相互結合または直接結合または通信接続は、いくつかのインターフェース、装置またはユニットを介した間接結合または通信接続であり得、電気的、機械的または他の形態であり得る。
【０２０８】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の需要に応じて、その中のユニットの一部または全部を選択して本実施例の技術案の目的を実現することができる。
【０２０９】
なお、本出願の各実施例における各機能ユニットは１つの処理ユニットに統合されてもよく、または各ユニットが物理的に別々に存在してもよく、２つまたは２つ以上のユニットを１つのユニットに統合してもよい。
【０２１０】
前記機能がソフトウェア機能ユニットの形で実現され、独立した製品として販売または使用される場合、コンピュータ可読記憶媒体に記憶することができる。このような理解に基づいて、本出願の技術的解決策の本質的な部分、つまり先行技術に貢献のある部分、または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本出願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスク等のプログラムコードを記憶することができる様々な媒体を含む。
【０２１１】
上記の内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。したがって、本出願の保護範囲は、特許請求の範囲の保護範囲に従うものとする。
【図１】
2022502929.tif 000004
【図２】
2022502929.tif 000005
【図３】
2022502929.tif 000006
【図４】
2022502929.tif 000007
【図５ａ】
2022502929.tif 000008
【図５ｂ】
2022502929.tif 000009
【図５ｃ】
2022502929.tif 000010
【図６】
2022502929.tif 000011
【図７】
2022502929.tif 000012
【図８】
2022502929.tif 000013
【図９】
2022502929.tif 000014
【図１０】
2022502929.tif 000015
【国際調査報告】
2022502929.tif 000016
2022502929.tif 000017
2022502929.tif 000018
2022502929.tif 000019